(57)【要約】      （修正有）【課題】高硬度の材料のみから構成される電極と比較して、装着性も良く、生体への電極の密着性を高めて生体信号を検出し易くする。【解決手段】ゴム材等を発泡させることで得られた発泡体（発泡材料）によって構成され、少なくとも生体に接触する部分が導電性を有する。ゴム材等を発泡させることによって、発泡体（電極）の装着性も良くなり、生体への電極の密着性が高まる。また、ゴム材に導電剤を添加することで、発泡体（電極）の電気抵抗を小さくすることができ、生体信号の検出感度が向上する。【選択図】図３
2019024758.tif 000002
【特許請求の範囲】
【請求項１】
発泡材料によって構成され、少なくとも生体に接触する部分が導電性を有し、生体に接触して生体信号を検出するために用いられる電極。
【請求項２】
体積固有抵抗率が１×１０５Ω・ｃｍ以下である、
ことを特徴とする請求項１に記載の電極。
【請求項３】
２５％圧縮硬さが２０〜１３５（ｋＰａ）である、
ことを特徴とする請求項１に記載の電極。
【請求項４】
２５％圧縮硬さが４０〜１１０（ｋＰａ）である、
ことを特徴とする請求項３に記載の電極。
【請求項５】
前記発泡材料に導電剤が添加されている、
ことを特徴とする請求項１に記載の電極。
【請求項６】
前記導電剤の含有量は、前記発泡材料が１００質量部であるのに対して、５〜３５質量部である、
ことを特徴とする請求項５に記載の電極。
【請求項７】
前記導電剤の含有量は、１０〜２５質量部である、
ことを特徴とする請求項６に記載の電極。
【請求項８】
前記生体信号は脳波である、
ことを特徴とする請求項１から請求項７何れかに記載の電極。
【請求項９】
ユーザの耳に接触する第１脳波測定手段と、
前記第１脳波測定手段と繋がって前記耳に接触する第２脳波測定手段と、
前記第１脳波測定手段と前記第２脳波測定手段とによる脳波測定結果を端末装置に送信する送信手段と、
を有し、
前記第１脳波測定手段及び前記第２脳波測定手段の中の少なくとも一方に、請求項８に記載の電極が用いられる、
脳波測定装置。
【請求項１０】
ユーザの耳に接触する第１脳波測定手段と、
前記第１脳波測定手段と繋がって前記耳に接触する第２脳波測定手段と、
前記第１脳波測定手段と前記第２脳波測定手段とによる脳波測定結果を端末装置に送信する送信手段と、
前記耳に挿入されるスピーカ部と、
前記スピーカ部を支持する支持部材と繋がって前記耳に掛けられる耳掛け部と、
を有し、
前記第１脳波測定手段は、前記スピーカ部に設けられており、
前記第２脳波測定手段は、前記耳掛け部に設けられており、
前記第１脳波測定手段に、発泡材料によって構成され、少なくとも生体に接触する部分が導電性を有し、生体に接触して脳波を検出する電極が用いられており、
前記電極の２５％圧縮硬さは、４０〜１３５（ｋＰａ）である、
ことを特徴とする脳波測定装置。
【請求項１１】
ユーザの耳に接触する第１脳波測定手段と、
前記第１脳波測定手段と繋がって前記耳に接触する第２脳波測定手段と、
前記第１脳波測定手段と前記第２脳波測定手段とによる脳波測定結果を端末装置に送信する送信手段と、
前記耳に挿入されるスピーカ部と、
前記スピーカ部を支持する支持部材と繋がって前記耳に掛けられる耳掛け部と、
を有し、
前記第１脳波測定手段は、前記スピーカ部に設けられており、
前記第２脳波測定手段は、前記耳掛け部に設けられており、
前記第２脳波測定手段に、発泡材料によって構成され、少なくとも生体に接触する部分が導電性を有し、生体に接触して脳波を検出する電極が用いられており、
前記電極の２５％圧縮硬さは、２０〜１１０（ｋＰａ）である、
ことを特徴とする脳波測定装置。
【発明の詳細な説明】
【技術分野】
【０００１】
本発明は、電極及び脳波測定装置に関する。
【背景技術】
【０００２】
生体センサに用いられる電極として、特許文献１には、表面に導電層が形成された弾性体によって構成され、外耳道に挿入されて使用される電極が開示されている。また、特許文献２には、頭皮に接触する接触面を有する複数の突起部によって構成された電極が開示されている。
【先行技術文献】
【特許文献】
【０００３】
【特許文献１】特開２０１１−２１７９８６号公報
【特許文献２】特開２０１６−１６３６８８号公報
【発明の概要】
【発明が解決しようとする課題】
【０００４】
ところで、一般的に、生体への電極の密着性が低いほど、生体信号が検出され難くなる。
【０００５】
本発明の目的は、高硬度の材料のみから構成される電極と比較して、装着性も良く、生体への電極の密着性を高めて生体信号を検出し易くすることにある。
【課題を解決するための手段】
【０００６】
請求項１に記載の発明は、発泡材料によって構成され、少なくとも生体に接触する部分が導電性を有し、生体に接触して生体信号を検出するために用いられる電極である。
【０００７】
請求項２に記載の発明は、体積固有抵抗率が１×１０５Ω・ｃｍ以下である、ことを特徴とする請求項１に記載の電極である。
【０００８】
請求項３に記載の発明は、２５％圧縮硬さが２０〜１３５（ｋＰａ）である、ことを特徴とする請求項１に記載の電極である。
【０００９】
請求項４に記載の発明は、２５％圧縮硬さが４０〜１１０（ｋＰａ）である、ことを特徴とする請求項３に記載の電極である。
【００１０】
請求項５に記載の発明は、前記発泡材料に導電剤が添加されている、ことを特徴とする請求項１に記載の電極である。
【００１１】
請求項６に記載の発明は、前記導電剤の含有量は、前記発泡材料が１００質量部であるのに対して、５〜３５質量部である、ことを特徴とする請求項５に記載の電極である。
【００１２】
請求項７に記載の発明は、前記導電剤の含有量は、１０〜２５質量部である、ことを特徴とする請求項６に記載の電極である。
【００１３】
請求項８に記載の発明は、前記生体信号は脳波である、ことを特徴とする請求項１から請求項７何れかに記載の電極である。
【００１４】
請求項９に記載の発明は、ユーザの耳に接触する第１脳波測定手段と、前記第１脳波測定手段と繋がって前記耳に接触する第２脳波測定手段と、前記第１脳波測定手段と前記第２脳波測定手段とによる脳波測定結果を端末装置に送信する送信手段と、を有し、前記第１脳波測定手段及び前記第２脳波測定手段の中の少なくとも一方に、請求項８に記載の電極が用いられる、脳波測定装置である。
【００１５】
請求項１０に記載の発明は、ユーザの耳に接触する第１脳波測定手段と、前記第１脳波測定手段と繋がって前記耳に接触する第２脳波測定手段と、前記第１脳波測定手段と前記第２脳波測定手段とによる脳波測定結果を端末装置に送信する送信手段と、前記耳に挿入されるスピーカ部と、前記スピーカ部を支持する支持部材と繋がって前記耳に掛けられる耳掛け部と、を有し、前記第１脳波測定手段は、前記スピーカ部に設けられており、前記第２脳波測定手段は、前記耳掛け部に設けられており、前記第１脳波測定手段に、発泡材料によって構成され、少なくとも生体に接触する部分が導電性を有し、生体に接触して脳波を検出する電極が用いられており、前記電極の２５％圧縮硬さは、４０〜１３５（ｋＰａ）である、ことを特徴とする脳波測定装置である。
【００１６】
請求項１１に記載の発明は、ユーザの耳に接触する第１脳波測定手段と、前記第１脳波測定手段と繋がって前記耳に接触する第２脳波測定手段と、前記第１脳波測定手段と前記第２脳波測定手段とによる脳波測定結果を端末装置に送信する送信手段と、前記耳に挿入されるスピーカ部と、前記スピーカ部を支持する支持部材と繋がって前記耳に掛けられる耳掛け部と、を有し、前記第１脳波測定手段は、前記スピーカ部に設けられており、前記第２脳波測定手段は、前記耳掛け部に設けられており、前記第２脳波測定手段に、発泡材料によって構成され、少なくとも生体に接触する部分が導電性を有し、生体に接触して脳波を検出する電極が用いられており、前記電極の２５％圧縮硬さは、２０〜１１０（ｋＰａ）である、ことを特徴とする脳波測定装置である。
【発明の効果】
【００１７】
請求項１−５，９に記載の発明によれば、高硬度の材料のみから構成される電極と比較して、装着性も良く、生体への電極の密着性を高めて生体信号が検出され易くなる。
【００１８】
請求項６に記載の発明によれば、導電剤の含有量が５質量部未満の場合と比べて、生体信号の検出感度が高くなり、また、導電剤の含有量が３５質量部よりも多い場合と比べて、より高い柔軟性が得られ、装着性に優れる。
【００１９】
請求項７に記載の発明によれば、導電剤の含有量が１０質量部未満の場合と比べて、生体信号の検出感度が高くなり、また、導電剤の含有量が２５質量部よりも多い場合と比べて、より高い柔軟性が得られ、装着性に優れる。
【００２０】
請求項８に記載の発明によれば、高硬度の材料のみから構成される電極と比べて、装着性も良く、生体への電極の密着性を高めて脳波が検出され易くなる。
【００２１】
請求項１０に記載の発明によれば、電極の硬度が４０未満、１３５（ｋＰａ）より大きい場合と比べて、人体の耳への電極の密着性を高めて生体信号が検出され易くなる。
【００２２】
請求項１１に記載の発明によれば、電極の硬度が２０未満、１１０（ｋＰａ）より小さい場合と比べて、耳掛け部の装着時の安定感が増す。
【図面の簡単な説明】
【００２３】
【図１】イヤーパットを示す斜視図である。
【図２】本実施形態に係る情報処理システムを示すブロック図である。
【図３】イヤフォン装置の全体構成を示す斜視図である。
【図４】イヤフォン装置の一部の構成を示す斜視図である。
【図５】左側イヤフォン部を示す斜視図である。
【図６】左側イヤフォン部を示す平面図である。
【図７】イヤーパットを側面から見た図である。
【図８】イヤーパットを上方から見た図である。
【図９】イヤーパットを側面から見た図である。
【図１０】イヤーパットを側面から見た図である。
【図１１】イヤーパットを側面から見た図である。
【図１２】イヤーパットを上方から見た図である。
【図１３】イヤーパットを側面から見た図である。
【図１４】イヤーパットを側面から見た図である。
【図１５】イヤフォン装置の一部の構成を示す斜視図である。
【図１６】イヤフォン装置の一部の構成を示す斜視図である。
【図１７】イヤフォン装置の一部の構成を示す斜視図である。
【図１８】イヤフォン装置の一部の構成を示す斜視図である。
【図１９】イヤフォン装置の機能ブロック図である。
【図２０】端末装置の機能ブロック図である。
【図２１】脳波表示画面を示す図である。
【図２２】音楽再生画面を示す図である。
【図２３】音楽再生画面を示す図である。
【図２４】プレイリスト画面を示す図である。
【図２５】プレイリスト画面を示す図である。
【図２６】条件入力画面を示す図である。
【図２７】音楽再生画面を示す図である。
【図２８】リスト選択画面を示す図である。
【図２９】脳波表示画面を示す図である。
【図３０】脳波表示画面を示す図である。
【図３１】脳波測定結果を示す図である。
【図３２】音楽表示画面を示す図である。
【図３３】プレイリスト画面を示す図である。
【発明を実施するための形態】
【００２４】
以下、本発明の実施形態に係る電極について説明する。
【００２５】
＜電極＞
本実施形態に係る電極は、生体信号を検出するために用いられる電極である。生体信号は、生体内から発せられる信号であり、例えば、脳波、心拍、脈拍、等である。もちろん、これら以外の生体信号を検出するために本実施形態に係る電極が用いられてもよい。例えば、本実施形態に係る電極は、脳波を測定するための電極として脳波測定装置に用いられてもよいし、心拍や脈拍を測定するための電極として心電計に用いられてもよい。
【００２６】
本実施形態に係る電極は、ゴム材等を発泡させることで得られた発泡体（発泡材料）によって構成され、少なくとも生体に接触する部分が導電性を有する。ゴム材等を発泡させることによって、発泡体（電極）の装着性も良くなり、生体への電極の密着性が高まる。また、ゴム材に導電剤を添加することで、発泡体（電極）の電気抵抗を小さくすることができ、生体信号の検出感度が向上する。以下、電極を構成する各部材について説明する。
【００２７】
（ゴム材）
ゴム材としては、例えば、エピクロルヒドリンゴム、ポリウレタンゴム、ニトリルゴム、イソプレンゴム、ブタジエンゴム、エピクロルヒドリン−エチレンオキシドゴム、エチレン−プロピレン−ジエンゴム（ＥＰＤＭ）、スチレン−ブタジエンゴム（ＳＢ）、塩素化ポリイソプレン、アクリロニトリル−ブタジエンゴム（ＮＢＲ）、クロロプレンゴム、水素化ポリブタジエン、ブチルゴム、シリコーンゴム等、又は、これらの２種以上をブレンドしてなる材料が挙げられる。これらの中でも、ウレタンゴム、ニトリルゴム、エピクロルヒドリン(ＥＣＯ)ゴム、エチレン−プロピレン−ジエンゴム（ＥＰＤＭ）、シリコーンゴムを用いることが好ましい。
【００２８】
（導電剤）
導電剤としては、例えば、電子伝導性導電剤、イオン伝導性導電剤、導電性ポリマー、又は、これらの２種類以上の組み合わせが挙げられ、導電剤は、発泡体内に含有、分散させられる。これにより、電極の抵抗を調整できる。
【００２９】
（電子伝導性導電剤）
電子伝導性導電剤としては、例えば、カーボンブラック、グラファイト、銀、アルミニウム、ニッケル、銅合金等の金属、合金、又は、金属酸化物等が挙げられる。金属酸化物としては、例えば、酸化錫、酸化亜鉛、チタン酸カリウム、酸化錫−酸化インジウム、酸化錫−酸化アンチモン複合酸化物等が挙げられる。
【００３０】
（イオン伝導性導電剤）
イオン伝導性導電剤としては、例えば含過塩素酸リチウムのエステル系可塑剤のような金属塩含有可塑剤、トリエチルベンジルアンモニウムクロライド、トリメチルベンジルアンモニウムクロライド、オクタデシルアミンアセテート、イミダゾリン誘導体アセテート、ポリアルキレンポリアミン誘導体又はその塩、オクタデシルトリメチルアンモニウムクロライド、トリメチルアミノエチルアルキルアミドハロゲニド、アルキルピリジニウム硫酸塩、アルキルトリメチルアンモニウムハロゲニド等のカチオン性界面活性剤等が使用される。本実施形態において望ましいイオン導電剤は、前記例示したような第４級アンモニウム塩であり、更にトリエチルベンジルアンモニウムクロライド、トリメチルベンジルアンモニウムクロライドのような、１分子中に少なくとも１個のフェニル基を含んでいる第４級アンモニウム塩が望ましい。このような第４級アンモニウム塩は、フェニル基による立体障害のため、組成物中で前述のマイグレーションを起こしにくい。
【００３１】
（導電性ポリマー）
導電性ポリマーとしては、例えば、カルボキシル基に４級アンモニウム塩基を結合する（メタ）アクリレートとの各種（例えばスチレン）共重合体、４級アンモニウム塩基と結合するマレイミドとメタアクリレートとの共重合体等の４級アンモニウム塩基を結合するポリマー、ポリスルホン酸ナトリウム等のスルホン酸のアルカリ金属塩を結合するポリマー、分子鎖中に少なくともアルキルオキシドの親水性ユニットを結合するポリマー、例えば、ポリエチレンオキシド、ポリエチレングリコール系ポリアミド共重合体、ポリエチレンオキシド−エピクロルヒドリン共重合体、ポリエーテルアミドイミド、ポリエーテルを主セグメントとするブロック型のポリマー、ポリアニリン、ポリチオフェン、ポリアセチレン、ポリピロール、ポリフェニレンビニレンが挙げられる。
【００３２】
発泡体中の導電剤の含有量は特に制限されるものではないが、ゴム材が１００質量部であるのに対して、例えば５〜３５重量部である。導電剤の含有量が５質量部未満である場合、発泡体（電極）の電気抵抗が高くなり、生体信号の検出感度が低下し得る。一方、導電剤の含有量が３５質量部を超える場合、耐久性が低くなり、経時変化しやすくなる。すなわち、導電剤の含有量を増大させるほど、発泡体（電極）の電気抵抗が低くなり、生体信号の検出感度が向上するが、その反面、導電剤の含有量がより少ない場合と比べて、耐久性が低くなり、経時変化しやすくなる。逆に、導電剤の含有量を減少させるほど、耐久性が高くなり、経時変化しにくくなるが、その反面、導電剤の含有量がより多い場合と比べて、発泡体（電極）の電気抵抗が高くなり、生体信号の検出感度が低下し得る。導電剤の含有量が５〜３５質量部である場合、導電剤の含有量が５質量部未満である場合と比べて、発泡体（電極）の電気抵抗が低くなるため、生体信号の検出感度が向上し、また、導電剤の含有量が３５質量部を超える場合と比べて、耐久性が高くなり、経時変化しにくくなる。
【００３３】
また、導電剤の含有量は１０〜２５質量部がより好ましい。この場合、導電剤の含有量の下限が５質量部である場合と比べて、発泡体（電極）の電気抵抗が低くなるため、生体信号の検出感度が向上し、また、導電剤の含有量の上限が５質量部である場合と比べて、耐久性が高くなり、経時変化しにくくなる。
【００３４】
また、発泡体（電極）の２５％圧縮硬さ（Ｐａ：ＪＩＳＫ６４００  Ｄ法）は、２０（ｋＰａ）〜１３５（ｋＰａ）であることが好ましく、４０（ｋＰａ）〜１１０（ｋＰａ）であることがより好ましい。なお、２５％圧縮硬さの値が大きい電極ほど柔らかい。
【００３５】
検出対象の生体信号の種類に基づいて、導電剤の含有量の範囲が定められてもよい。例えば、脳波測定用の電極における導電剤の含有量は、１０〜３５質量部であってもよい。心拍や脈拍測定用の電極における導電剤の含有量は、５〜２５質量部であってもよい。
【００３６】
検出対象の生体信号の種類に基づいて、発泡体（電極）の２５％圧縮硬さが定められてもよい。例えば、脳波測定用の電極の２５％圧縮硬さは、２０（ｋＰａ）〜１３５（ｋＰａ）であってもよい。人体の耳の外耳道に挿入される脳波測定用の電極は、外耳道への電極の挿入に起因するユーザの痛みを緩和するために、比較的に柔らかいことが好ましい。例えば、外耳道に挿入される電極の２５％圧縮硬さは、４０（ｋＰａ）〜１３５（ｋＰａ）であることが好ましい。こうすることで、外耳道への電極の挿入に起因するユーザの痛みが緩和される。また、脳波測定用の電極であって、耳掛け部分に設けられる電極の２５％圧縮硬さは、２０（ｋＰａ）〜１１０（ｋＰａ）であることが好ましい。こうすることで、耳掛け部分が安定する。心拍や脈拍測定用の電極は、その設置個所からのずれを防止するために、比較的に硬いことが好ましい。例えば、心拍や脈拍測定用の電極の２５％圧縮硬さは、２０（ｋＰａ）〜１１０（ｋＰａ）であることが好ましい。こうすることで、電極の位置ずれを防止又は抑制することができる。
【００３７】
検出対象の生体信号の種類に基づいて、発泡体（電極）に用いられるゴム材や導電剤が定められてもよい。例えば、脳波測定用の電極には、ゴム材としてウレタン、シリコーン（系）の材料が好適に用いられ、導電剤としてカーボンブラックが好適に用いられる。心拍や脈拍測定用の電極には、ゴム材としてシリコーン（系）の材料が好適に用いられ、導電剤としてカーボンブラックが好適に用いられる。
【００３８】
また、発泡体（電極）が設置される生体部分に基づいて、導電剤の含有量の範囲が定められてもよい。通常、脳波はそのシグナルの大きさが小さいので、導電剤の含有量は比較的に多めが好ましい。例えば、人体の頭部の額に設置される脳波測定用の電極における導電剤の含有量は、１０〜３５質量部であってもよい。人体の耳の外耳道に挿入される脳波測定用の電極における導電剤の含有量は、１０〜３５質量部であってもよい。耳掛け部に設けられる電極における導電剤の含有量は、１０〜３５質量部であってもよい。人体の腕や足や胸部や腹部に設置される脈拍測定用の電極（又は心拍測定用の電極）における導電剤の含有量は、５〜２５質量部であってもよい。
【００３９】
発泡体（電極）が設置される生体部分に基づいて、発泡体（電極）の２５％圧縮硬さが定められてもよい。例えば、人体の頭部の額に設置される脳波測定用の電極の２５％圧縮硬さは、２０（ｋＰａ）〜１１０（ｋＰａ）であってもよい。人体の耳の外耳道に挿入される脳波測定用の電極の２５％圧縮硬さは、４０（ｋＰａ）〜１３５（ｋＰａ）であってもよい。耳掛け部に設けられる電極の２５％圧縮硬さは、２０（ｋＰａ）〜１１０（ｋＰａ）であってもよい。人体の腕や足や胸部や腹部に設置される脈拍測定用の電極（又は心拍測定用の電極）の２５％圧縮硬さは、２０（ｋＰａ）〜１１０（ｋＰａ）であってもよい。
【００４０】
発泡体（電極）が設置される生体部分に基づいて、発泡体（電極）に用いられるゴム材や導電剤が定められてもよい。例えば、人体の頭部の額に設置される脳波測定用の電極には、ゴム材としてウレタン、シリコーン（系）の材料が用いられ、導電剤としてカーボンブラックが用いられてもよい。人体の耳の外耳道に挿入される脳波測定用の電極には、ゴム材としてシリコーン（系）の材料が用いられ、導電剤としてカーボンブラックが用いられてもよい。耳掛け部に設けられる電極には、ゴム材としてウレタン、シリコーン（系）の材料が用いられ、導電剤としてカーボンブラックが用いられてもよい。人体の腕や足や胸部や腹部に設置される脈拍測定用の電極（又は心拍測定用の電極）には、ゴム材としてシリコーン（系）の材料が用いられ、導電剤としてカーボンブラックが用いられてもよい。
【００４１】
ゴム材の中に導電材を分散させる方法として、例えば、加圧ニーダー、バンバリーミキサー、２本ロール、３本ロール等の方法が用いられる。
【００４２】
なお、発泡体には、ゴム材や導電剤の他に、加硫に必要となる発泡剤や、難燃剤、劣化防止剤、整泡剤、各種充填剤等を添加してもよい。発泡剤としては、例えば、ベンゼンスルホニルヒドラジド、アゾジカルボンアミド、Ｎ，Ｎ’−ジニトロソペンタメチレンテトラミンやこれらの混合物等が用いられてもよい。難燃剤としては、例えば、トリスクロロエチルホスフェート、トリスクロロプロピルホスフェート等のリン酸エステル系化合物等が用いられてもよい。劣化防止剤としては、例えば、フェノール系酸化防止剤、アミン系酸化防止剤、ホスファイト系酸化防止剤等の酸化防止剤、ベンゾトリアゾール系紫外線吸収剤、ベンゾフェノン系紫外線吸収剤等の紫外線吸収剤、ヒンダードアミン系等の光安定剤等が用いられてもよい。整泡剤としては、例えば、ジメチルシリコーンオイル、ポリエーテル変性シリコーンオイル等のシリコーン系界面活性剤、カチオン性界面活性剤、アニオン性界面活性剤、両性界面活性剤等が用いられてもよい。
【００４３】
発泡体（電極）の体積固有抵抗率は、１×１０５Ω・ｃｍ以下である。発泡体（電極）の抵抗が低くなるほど、生体信号の検出感度が高くなるため、体積固有抵抗率の下限は特に制限されるものではない。
【００４４】
検出対象の生体信号の種類に基づいて、発泡体（電極）の体積固有抵抗率が定められてもよい。例えば、脳波測定用の電極の体積固有抵抗率は、１０＋３Ω・ｃｍ以下であってもよいし、心拍や脈拍測定用の電極の体積固有抵抗率は、１０＋５Ω・ｃｍ以下であってもよい。
【００４５】
また、電極が設置される生体部分に基づいて、発泡体（電極）の体積固有抵抗率が定められてもよい。例えば、人体の頭部の額に設置される脳波測定用の電極の体積固有抵抗率は、１０＋３Ω・ｃｍ以下であってもよいし、人体の耳の外耳道に挿入される脳波測定用の電極の体積固有抵抗率は、１０＋３Ω・ｃｍ以下であってもよいし、人体の腕や足や胸に設置される脈拍測定用の電極（又は心拍測定用の電極）の体積固有抵抗率は、１０＋５Ω・ｃｍ以下であってもよい。
【００４６】
発泡体（電極）の表面にコート層（表面層）が更に設けられてもよい。コート層を構成する材料は特に制限されないが、検知された生体信号の伝送効率を向上させるという観点から、導電性の材料が用いられてもよい。
【００４７】
以下、発泡体（電極）の製造方法について説明する。上述したゴム材、導電剤及び発泡材等を含む混合物を、押出し機等を用いて押出し成形することで、発泡体（電極）が作製される。別の例として、予め板状に形成された発泡素材を型等によって成型することで発泡体（電極）を作製してもよいし、ショットブラスト、サンドブラスト、液体ブラスト等のブラスト処理等を適用することで、発泡体（電極）を目的の形状に成型してもよい。
【００４８】
以上のように、本実施形態に係る電極は導電材を含む発泡材料によって構成されているため、導電性を有すると共に柔軟性を有する。その結果、生体への電極の密着性が高くなり、生体信号の検出感度が向上する。
【００４９】
［実施例］
以下、具体的な実施例について説明する。以下の各実施例に係る電極は、例えば、脳波測定用の電極である。具体的には、各実施例に係る電極は、イヤーピースの形状を有し、耳の外耳道に挿入されて脳波を測定するために使用される。
【００５０】
（実施例１）
−原料−
ポリエーテルポリオール（アクトコールＥＤ−３７Ｂ三井武田ケミカル（株）製、商品名「アクトコールＥＤ−２８」）５０質量部、ポリマーポリオール（三井武田ケミカル（株）製、商品名「ＰＯＰ−２４／３０」）５０質量部、トリメチロールプロパン  ３質量部、ジメチルポリシロキサン（ＧＥＳｉｌｉｃｏｎｅｓ社製、商品名「ＮｉａｘＳｉｌｉｃｏｎｅ  Ｌ５６１４」）５．６質量部、カーボンブラック（三菱化学社製、商品名＃３２３０Ｂ）２０質量部、カルボジイミド変性ＭＤＩ(日本ポリウレタン工業（株）製、商品名「ミリオネート  ＭＴＬ−Ｓ」)２０質量部を原料として用いた。
【００５１】
−メカニカルフロス法による混合−
上記の原料をメカニカルフロス法によって混合した。具体的には、上記の原料を１０００回転／分の速度で撹拌しながら、不活性ガスとしての窒素ガスを原料１００ｍｌ当たり５〜５００ｍｌの範囲で吹き込み、原料中に窒素ガスを微細に分散させて泡状を呈する原料分散液を得た。更に、鉄アセチルアセテート５質量部を混合した。
【００５２】
−誘電発熱法による加熱−
誘電発熱を２段階に分けて行った。第１段では高周波の周波数を４５ＭＨｚに設定し、その長さを１０００ｍｍとし、第２段では高周波の周波数を３０ＭＨｚに設定し、その長さを２０００ｍｍとした。そして、上記の窒素ガスを分散させた原料分散液をライン速度５ｍ／分の速度にて、第１段で誘電発熱を行い、続いて第２弾で誘電発熱を行うことで、原料の反応及び硬化を行った。その後、得られたポリウレタン発泡体を、養生加熱として、１１０℃に加熱された１０ｍの加熱ゾーンを通過させて２分間加熱を行った。更に、後加熱として、ポリウレタン発泡体を加熱炉に入れ、１１０℃で４時間加熱処理を行った。このようにして所望の軟質ポリウレタン発泡体を製造した。
【００５３】
上記の発泡体を直径１２ｍｍ、長さ２０ｍｍの円筒状にくり抜き、更に中心部に直径１．５ｍｍの円柱状の空壁を形成することで、イヤーピース型（イヤーパット型）の電極を作製した。体積固有抵抗率は５×１０１Ω・ｃｍであった。また、２５％圧縮硬さ（ＪＩＳＫ６４００  Ｄ法）は５０（ｋＰａ）であった。
【００５４】
図１には、イヤーピース型の電極の一例が示されている。図１は、電極２００の斜視図であり、一部、断面が示されている。電極２００は円筒状の形状を有し、その円筒の延在方向に沿って円柱状の貫通孔２０２が形成されている。この電極２００が、耳の外耳道に挿入される。
【００５５】
（実施例２〜５、比較例１，２）
表１を参照して、実施例２〜５、比較例１，２について説明する。実施例２〜５、比較例１，２では、導電剤の含有量を変更した。それ以外の条件は、実施例１と同じである。
【００５６】
【表１】
2019024758.tif 000003
【００５７】
（評価）
表１に評価結果を示す。本実施例では、各電極の体積固有抵抗率、２５％圧縮硬さ、脳波測定、耐久性について評価した。
【００５８】
−脳波測定−
温度１０℃、湿度１５％ＲＨの条件下で、被検者（Ａ〜Ｊ）１０人を対象として、各被検者の耳の外耳道に実施例１〜５、比較例１，２に係る電極をそれぞれ挿入して、各被検者の脳波を５回測定した。表にそれぞれの被検者において脳波を検出した結果を示す。評価基準は以下の通りである。
◎：測定可能
○：装着し直すことで測定可能（実用に耐えられる）
×：装着し直しても測定不能（実用に耐えられない）
本実施形態では、９割以上の確率で測定できない電極は実用に耐えられないレベルの電極として評価した。
【００５９】
−耐久性−
イヤーピースを濃度５ｐｐｍのオゾン環境中に４０℃で１６８時間放置した後の２５％圧縮硬さを測定した。評価基準は以下の通りである。
Ａ：放置前後の硬さ変化が５％以下
Ｂ：放置前後の硬さ変化が５％〜１０％
Ｃ：放置前後の硬さ変化が２０％以上（実用に耐えられないレベル）
【００６０】
（その他の実施例）
厚さ２０ｍｍの導電性ゴム発泡体Ｃ４２５６５（ＩＮＯＡＣ社製、体積抵抗率２．７×１０４Ω・ｃｍ）を用いて、実施例１と同様にイヤーパット（イヤーピース）を作製し、そのイヤーパットを用いて、上記の脳波測定の条件下で脳波を測定した。その結果、すべての測定において脳波が測定された。
また、厚さ２０ｍｍの導電性ゴム発泡体Ｅ４３８５（ＩＮＯＡＣ社製、体積抵抗率５．３×１０４Ω・ｃｍ）を用いて、実施例１と同様にイヤーパット（イヤーピース）を作製し、そのイヤーパットを用いて、上記の脳波測定の条件下で脳波を測定した。その結果、すべての測定において脳波が測定された。
【００６１】
上記の結果から、本実施例によれば、比較例に比べて、脳波測定及び耐久性について、総合的に良好な結果が得られた。つまり、導電剤の量が５〜３５質量部の場合、その量が５質量部未満の場合と比べて、脳波の検出感度が高くなり、また、その量が３５質量部よりも多い場合と比べて、より高い耐久性が得られ、装着性に優れる。
【００６２】
＜情報処理システム＞
以下、本実施形態に係る電極の適用例について説明する。図２には、本実施形態に係る電極が適用される情報処理システムの一例が示されている。
【００６３】
本実施形態に係る情報処理システムは、一例として、イヤフォン装置１０と端末装置１２と音楽配信サーバ１４とを含む。
【００６４】
イヤフォン装置１０は、例えばカナル型のイヤフォンであり、耳の穴（外耳道）に差し込んで使用する形式のヘッドフォン（再生装置から出力された電気信号を、スピーカを用いて音波に変換する装置）である。また、イヤフォン装置１０は、脳波測定システムとしても機能する。具体的には、イヤフォン装置１０は、ユーザの頭部の電位を測定し、その測定結果を示す情報（例えば電位を表わす信号）を、脳波測定結果を示す情報として出力する。
【００６５】
イヤフォン装置１０は、無線通信機能を備えている。通信方式は、例えば、近距離無線通信（例えばBluetooth（ブルートゥース）（登録商標）、ＲＦＩＤ（Radio Frequency Identifier）等）、赤外線通信、可視光通信、Ｗｉ−Ｆｉ（登録商標）通信、等である。イヤフォン装置１０は、例えば、端末装置１２から音を表わす信号（音声信号等の音信号）を無線通信によって受信し、その信号に従って音を発生させる。また、イヤフォン装置１０は、脳波測定結果を示す情報を無線通信によって端末装置１２に送信する。もちろん、イヤフォン装置１０は、ケーブルを用いた有線通信機能を備えていてもよい。この場合、イヤフォン装置１０は、有線通信によって音信号を受けて音を発生させ、脳波測定結果を示す情報を有線通信によって外部装置に送信してもよい。
【００６６】
端末装置１２は、例えば、スマートフォンや携帯電話やタブレットＰＣ（パーソナルコンピュータ）等のモバイル端末、ＰＣ、音楽プレイヤー、動画再生装置、等であり、情報処理装置の一例に相当する。端末装置１２は、無線通信機能を備えている。端末装置１２は、再生装置（音楽再生装置や動画再生装置）として機能する。例えば、端末装置１２は、音楽を再生し、その音信号を無線通信によってイヤフォン装置１０に送信する。端末装置１２は、動画を再生し、その音信号を無線通信によってイヤフォン装置１０に送信してもよい。また、端末装置１２は、脳波測定結果を示す情報を無線通信によってイヤフォン装置１０から受信し、脳波測定結果を解析することでユーザの脳波状態を評価する。イヤフォン装置１０にて脳波測定結果が解析されて、その解析結果を示す情報がイヤフォン装置１０から端末装置１２に送信されてもよいし、イヤフォン装置１０及び端末装置１２以外の装置にて脳波測定結果が解析されて、その解析結果を示す情報が端末装置１２に送信されてもよい。端末装置１２は、ケーブルを用いた有線通信によって音信号をイヤフォン装置１０に送信し、脳波測定結果を示す情報をイヤフォン装置１０から受信してもよい。また、端末装置１２は、ネットワーク等の通信経路Ｎを介して他の装置と通信する機能を備えている。その通信方式は、Ｗｉ−Ｆｉ通信等の無線通信であってもよいし、有線通信であってもよい。端末装置１２は、例えばインターネットに接続することで、情報を取得することができる。
【００６７】
音楽配信サーバ１４は、通信経路Ｎを介して他の装置と通信する機能を有し、通信経路Ｎを介して音楽配信サービスを提供する装置である。音楽配信サーバ１４は、例えば、インターネット経由で音楽データを配信する。音楽配信サーバ１４は、ダウンロード形式で音楽データをユーザに提供してもよいし、ストリーミング配信によって音楽データをユーザに提供してもよい。音楽データは、例えば有料で提供される。曲毎やアルバム毎に課金されてもよいし、定額料金制（例えば、月毎のように予め定められた期間毎に一定の料金が課金され、その期間中、サービスを無制限又はある制限の下で利用可能な料金体系）が採用されてもよい。もちろん、無料で提供される音楽データが存在してもよい。また、ダウンロードの回数制限や期間制限、ストリーミング配信の期間制限、等が設定されてもよい。音楽配信サービス用のアプリケーション（プログラム）がインストールされた装置にて音楽配信サービスの利用が可能となってもよい。音楽配信サーバ１４は、試聴用の音楽データを提供してもよい。
【００６８】
なお、動画配信サービスを提供する装置（例えば動画配信サーバ）が、情報処理システムに含まれてもよい。音楽配信サーバ１４が動画配信サーバを兼ねて動画配信サービスを提供してもよいし、音楽配信サーバ１４とは別の動画配信サーバが動画配信サービスを提供してもよい。動画配信サーバは、例えば、ダウンロード形式で動画データをユーザに提供してもよいし、ストリーミング配信によって動画データをユーザに提供してもよい。動画データは、例えば有料で提供される。動画毎に料金が設定されてもよいし、定額料金制が採用されてもよい。もちろん、無料で提供される動画データが存在してもよい。また、ダウンロードの回数制限や期間制限、ストリーミング配信の期間制限、等が設定されてもよい。動画配信サービス用のアプリケーションがインストールされた装置にて動画配信サービスの利用が可能となってもよい。動画配信サーバは、試聴用の動画データを提供してもよい。
【００６９】
もちろん、音楽と動画の両方を配信する装置が、情報処理システムに含まれていてもよい。
【００７０】
イヤフォン装置１０に上述した本実施形態に係る電極（発泡体）が用いられ、その電極によってユーザの脳波が測定され、その測定結果を示す情報が端末装置１２に送信される。端末装置１２では、その測定結果が解析されてユーザの脳波状態が評価される。また、端末装置１２からイヤフォン装置１０に音信号が送信され、イヤフォン装置１０によって音が発生させられる。例えば、端末装置１２にて音楽が再生され、その音楽に対応する音がイヤフォン装置１０から発せられる。これにより、音楽を聴いているときのユーザの脳波がイヤフォン装置１０によって測定され、その脳波状態が端末装置１２によって解析される。その脳波測定結果に応じて、音楽の再生が制御されてもよい。例えば、脳波状態に応じて、再生される音楽が変更されてもよい。音楽データは、音楽配信サーバ１４から端末装置１２に提供されたデータであってもよいし、音楽配信サーバ１４から配信されずに端末装置１２に記憶されているデータであってもよい。
【００７１】
なお、イヤフォン装置１０は、端末装置１２と共に用いられずに、別の音楽再生装置や動画再生装置に接続されて用いられてもよいし、音を発生させずに単体の脳波測定装置として用いられてもよい（つまり、音楽や動画を再生せずに、イヤフォン装置１０を脳波測定装置として用いてもよい）。また、端末装置１２は、イヤフォン装置１０と共に用いられずに、単体の脳波解析装置として用いられてもよいし、イヤフォン装置１０以外のイヤフォンが接続されてもよいし、イヤフォン装置１０以外の脳波測定装置によって測定された脳波に基づいて、音楽や動画の再生を制御してもよい。
【００７２】
以下、図３から図５を参照して、イヤフォン装置１０について詳しく説明する。図３は、イヤフォン装置１０の全体構成を示す斜視図である。図４は、イヤフォン装置１０の一部の構成を示す斜視図であり、図３とは別の方向からイヤフォン装置１０を見たときの図である。図５は、左側イヤフォン部の構成を示す斜視図である。
【００７３】
ここで、説明の便宜上、図３に示すように、前方及び後方を定義する。前方は、ユーザの顔が向く方向であり、後方は、その前方とは逆の方向である。
【００７４】
図３及び図４に示すように、イヤフォン装置１０は、大別して、ユーザの左耳に装着される左側イヤフォン部１６Ｌと、ユーザの右耳に装着される右側イヤフォン部１６Ｒと、左側イヤフォン部１６Ｌと右側イヤフォン部１６Ｒとを接続するケーブル１８と、を含む。なお、左側イヤフォン部１６Ｌが第１脳波測定装置の一例に相当し、右側イヤフォン部１６Ｒが第２脳波測定装置の一例に相当する。
【００７５】
左側イヤフォン部１６Ｌは、ユーザの左耳の穴（外耳道）に挿入される左側スピーカ部２０Ｌと、左側スピーカ部２０Ｌを支持する左側支持部２２Ｌ（左側ベース部）と、一方端部が左側支持部２２Ｌと繋がっている左側耳掛け部２４Ｌと、を含む。
【００７６】
左側スピーカ部２０Ｌは、音を発生させるドライバーユニット、音導管、イコライザー、筐体（フレームや筐体等）、及び、耳に挿入される部分を覆うイヤーパット２６Ｌ（イヤーピース）等によって構成されている。
【００７７】
イヤーパット２６Ｌは、上述した本実施形態に係る電極（発泡体）によって構成されており、第１左脳波センサとして機能する。イヤーパット２６Ｌ（第１左脳波センサ）は、頭部の電位を検知する電極として用いられる。なお、イヤーパット２６Ｌ（第１左脳波センサ）が第１脳波測定手段の一例に相当する。
【００７８】
左側支持部２２Ｌは、一例として薄型の直方体状の形状を有しており、左側支持部２２Ｌにおいて、ユーザがイヤフォン装置１０を装着したときにユーザの左耳に対向する面に、左側スピーカ部２０Ｌが設置されている。左側支持部２２Ｌは、例えばケースであり、内部に電子基板等の部品を収容する。
【００７９】
左側耳掛け部２４Ｌは、全体として湾曲した形状を有し、ユーザがイヤフォン装置１０を装着したときにユーザの左耳に掛けられる部材である。左側耳掛け部２４Ｌの一方端部は、左側支持部２２Ｌの前方側部分に接続されており、左側耳掛け部２４Ｌは、その接続部分から左側支持部２２Ｌの後方側にかけて湾曲した形状を有しており、その部分が湾曲部を形成する。その湾曲部が、左耳の上側から左耳に掛けられる。左側耳掛け部２４Ｌの他方端部は、ケーブル１８の一方端部と繋がっている。
【００８０】
左側耳掛け部２４Ｌの表面には、左側耳掛け部２４Ｌに沿って第２左脳波センサ２８Ｌが設けられている。第２左脳波センサ２８Ｌは、上述した本実施形態に係る電極（発泡体）によって構成されている。第２左脳波センサ２８Ｌは、例えば、左側耳掛け部２４Ｌが左耳に掛けられたときに、左耳、より具体的には左耳の裏側（頭蓋骨により近い位置）に接触するように、左側耳掛け部２４Ｌにおいてユーザの左耳に対向する面に設けられている。左耳の裏側に接触するように第２左脳波センサ２８Ｌを設けることで、脳により近い位置で電位を検知して、脳波測定の精度を高めることができる。第２左脳波センサ２８Ｌは、頭部の電位を検知する電極として用いられる。例えば、第２左脳波センサ２８Ｌが検知する電位が基準電位として用いられ、第１左脳波センサとしてのイヤーパット２６Ｌは、その基準電位からの電位（電位差）を測定する。なお、第２左脳波センサ２８Ｌが第２脳波測定手段の一例に相当する。
【００８１】
第２左脳波センサ２８Ｌは、左側耳掛け部２４Ｌとは別の部材として左側耳掛け部２４Ｌに設けられていてもよいし、左側耳掛け部２４Ｌの全体が第２左脳波センサ２８Ｌ（つまり本実施形態に係る電極（発泡体））によって構成されていてもよい。
【００８２】
左側耳掛け部２４Ｌが左耳に掛けられ、左側スピーカ部２０Ｌが左耳の穴（外耳道）に挿入されると、左側スピーカ部２０Ｌに設けられた第１左脳波センサとしてのイヤーパット２６Ｌと、左側耳掛け部２４Ｌに設けられた第２左脳波センサ２８Ｌと、によって左耳が挟まれた状態となり、この状態で、第１左脳波センサとしてのイヤーパット２６Ｌと第２左脳波センサ２８Ｌとによって脳波が測定される。
【００８３】
上記のように、第１左脳波センサとしてのイヤーパット２６Ｌと第２左脳波センサ２８Ｌとによって左耳を挟むことで、脳波センサを左耳に密着させることができ、その結果、脳波測定精度を向上させることができる。また、イヤーパット２６Ｌは左耳の穴（外耳道）に挿入されるので、第１左脳波センサと左耳との密着度が高くなる。
【００８４】
右側イヤフォン部１６Ｒは、ユーザの右耳の穴（外耳道）に挿入される右側スピーカ部２０Ｒと、右側スピーカ部２０Ｒを支持する右側支持部２２Ｒ（右側ベース部）と、一方端部が右側支持部２２Ｒと繋がっている右側耳掛け部２４Ｒと、を含む。
【００８５】
右側スピーカ部２０Ｒは、左側スピーカ部２０Ｌと同様に、ドライバーユニット、音導管、イコライザー、筐体、及び、イヤーパット２６Ｒ（イヤーピース）等によって構成されている。
【００８６】
イヤーパット２６Ｒは、上述した本実施形態に係る電極（発泡体）によって構成されており、第１右脳波センサとして機能する。イヤーパット２６Ｒは（第１右脳波センサ）は、頭部の電位を検知する電極として用いられる。なお、イヤーパット２６Ｒ（第１右脳波センサ）が第３脳波測定手段の一例に相当する。
【００８７】
右側支持部２２Ｒは、一例として薄側の直方体状の形状を有しており、右側支持部２２Ｒにおいて、ユーザがイヤフォン装置１０を装着したときにユーザの右耳に対向する面に、右側スピーカ部２０Ｒが設置されている。右側支持部２２Ｒは、例えばケースであり、内部に電子基板等の部品を収容する。
【００８８】
右側耳掛け部２４Ｒは、全体として湾曲した形状を有し、ユーザがイヤフォン装置１０を装着したときにユーザの右耳に掛けられる部材である。右側耳掛け部２４Ｒの一方端部は、右側支持部２２Ｒの前方側部分に接続されており、右側耳掛け部２４Ｒは、その接続部分から右側支持部２２Ｒの後方側にかけて湾曲した形状を有しており、その部分が湾曲部を形成する。その湾曲部が、右耳の上側から右耳に掛けられる。右側耳掛け部２４Ｒの他方端部は、ケーブル１８の他方端部と繋がっている。
【００８９】
右側耳掛け部２４Ｒの表面には、右側耳掛け部２４Ｒに沿って第２右脳波センサ２８Ｒが設けられている。第２右脳波センサ２８Ｒは、上述した本実施形態に係る電極（発泡体）によって構成されている。第２右脳波センサ２８Ｒは、例えば、右側耳掛け部２４Ｒが右耳に掛けられたときに、右耳、より具体的には右耳の裏側（頭蓋骨により近い位置）に接触するように、右側耳掛け部２４Ｒにおいてユーザの右耳に対向する面に設けられている。右耳の裏側に接触するように第２右脳波センサ２８Ｒを設けることで、脳により近い位置で電位を検知して、脳波測定の精度を高めることができる。第２右脳波センサ２８Ｒは、頭部の電位を検知する電極として用いられる。例えば、第２右脳波センサ２８Ｒが検知する電位が基準電位として用いられ、第１右脳波センサとしてのイヤーパット２６Ｒは、その基準電位からの電位（電位差）を測定する。なお、第２右脳波センサ２８Ｒが第４脳波測定手段の一例に相当する。
【００９０】
第２右脳波センサ２８Ｒは、右側耳掛け部２４Ｒとは別の部材によって右側耳掛け部２４Ｒに設けられていてもよいし、右側耳掛け部２４Ｒの全体が第２右脳波センサ２８Ｒ（つまり本実施形態に係る電極（発泡体））によって構成されていてもよい。
【００９１】
右側耳掛け部２４Ｒが右耳に掛けられ、右側スピーカ部２０Ｒが右耳の穴（外耳道）に挿入されると、右側スピーカ部２０Ｒに設けられた第１右脳波センサとしてのイヤーパット２６Ｒと、右側耳掛け部２４Ｒに設けられた第２右脳波センサ２８Ｒと、によって右耳が挟まれた状態となり、この状態で、第１右脳波センサとしてのイヤーパット２６Ｒと第２右脳波センサ２８Ｒとによって脳波が測定される。
【００９２】
上記のように、第１右脳波センサとしてのイヤーパット２６Ｒと第２右脳波センサ２８Ｒとによって右耳を挟むことで、脳波センサを右耳に密着させることができ、その結果、脳波測定精度を向上させることができる。また、イヤーパット２６Ｒは左耳の穴（外耳道）に挿入されるので、第１右脳波センサと右耳との密着度が高くなる。
【００９３】
イヤフォン装置１０は、無線通信機能（例えばブルートゥース）を備えており、端末装置１２との間で無線によって通信を行う。その無線通信機能を有する通信インターフェース（通信チップ）は、例えば、左右のイヤフォン部に内蔵されている。例えば、左側イヤフォン部１６Ｌの左側支持部２２Ｌ（ケース）内に、無線通信用の通信チップ（例えばブルートゥース用の通信チップ）が内蔵されており、同様に、右側イヤフォン部１６Ｒの右側支持部２２Ｒ（ケース）内に、無線通信用の通信チップが内蔵されている。左側イヤフォン部１６Ｌは、端末装置１２から送信された音信号（左耳用音信号）を、左側支持部２２Ｌに内蔵された通信チップによって受信し、その音信号に従って音を発生させる。右側イヤフォン部１６Ｒは、端末装置１２から送信された音信号（右耳用音信号）を、右側支持部２２Ｒに内蔵された通信チップによって受信し、その音信号に従って音を発生させる。
【００９４】
また、左側イヤフォン部１６Ｌと右側イヤフォン部１６Ｒによって得られた脳波測定結果を示す情報は、無線通信（例えばブルートゥース）によって、イヤフォン装置１０から端末装置１２に送信される。
【００９５】
左側イヤフォン部１６Ｌと右側イヤフォン部１６Ｒは、ケーブル１８によって物理的に接続されており、ケーブル１８を介して互いにデータを送受信する。
【００９６】
左側イヤフォン部１６Ｌによる脳波測定結果を示す情報と右側イヤフォン部１６Ｒによる脳波測定結果を示す情報の両方が、別々に、イヤフォン装置１０から端末装置１２に送信されてもよいし、それらの情報が例えば統計処理等によってまとめられて端末装置１２に送信されてもよい。統計処理として、例えば、左側イヤフォン部１６Ｌによる脳波測定結果と右側イヤフォン部１６Ｒによる脳波測定結果との単純平均や重み付け平均等がイヤフォン装置１０にて行われ、その処理結果を示す情報が、左側イヤフォン部１６Ｌ又は右側イヤフォン部１６Ｒのいずれかに設置された通信チップによって、イヤフォン装置１０から端末装置１２に送信されてもよい。もちろん、そのような処理が施される前の情報がイヤフォン装置１０から端末装置１２に送信され、端末装置１２にてそのような処理が行われてもよい。
【００９７】
例えば、ケーブル１８に故障が発生して、左側イヤフォン部１６Ｌと右側イヤフォン部１６Ｒとの間でデータの送受信ができなくなった場合、各イヤフォン部による脳波測定結果を示す情報が別々に端末装置１２に送信されてもよい。この場合、左側イヤフォン部１６Ｌによる脳波測定結果を示す情報が、左側イヤフォン部１６Ｌに設置されている通信チップによって、左側イヤフォン部１６Ｌから端末装置１２に送信される。同様に、右側イヤフォン部１６Ｒによる脳波測定結果を示す情報が、右側イヤフォン部１６Ｒに設置されている通信チップによって、右側イヤフォン部１６Ｒから端末装置１２に送信される。このように脳波測定結果を送信することで、ケーブル１８が故障した場合であっても、脳波測定を継続して脳波測定結果を端末装置１２に送信することができる。
【００９８】
また、一方のイヤフォン部に設置された通信チップが故障した場合、故障していない通信チップを用いて、脳波測定結果を示す情報を端末装置１２に送信してもよい。この場合、左側イヤフォン部１６Ｌによる脳波測定結果を示す情報と、右側イヤフォン部１６Ｒによる脳波測定結果を示す情報と、を別々に端末装置１２に送信してもよいし、それら両方の情報に対して統計処理等の処理を適用することで生成された情報を、端末装置１２に送信してもよい。このように脳波測定結果を送信することで、一方の通信チップが故障した場合であっても、脳波測定を継続して脳波測定結果を端末装置１２に送信することができる。
【００９９】
また、一方のイヤフォン部が故障した場合、故障していない他方のイヤフォン部による能測定結果を示す情報を端末装置１２に送信してもよい。このように脳波測定結果を送信することで、一方のイヤフォン部が故障した場合であっても、脳波測定を継続して脳波測定結果を端末装置１２に送信することができる。
【０１００】
なお、ケーブル１８や通信チップの故障は、センサや導通の有無の確認等によって検知される。
【０１０１】
イヤフォン装置１０を駆動するための電力を供給する電池が、左側イヤフォン部１６Ｌ又は右側イヤフォン部１６Ｒのいずれかに設置されている。例えば、左側イヤフォン部１６Ｌの左側支持部２２Ｌ（ケース）に電池が内蔵されており、右側イヤフォン部１６Ｒに電池は内蔵されていない。この場合、左側イヤフォン部１６Ｌの各部（例えば、左側スピーカ部２０Ｌ内のドライバーユニット、通信チップ、脳波測定に関わる部品等）は、その電池から電力供給を受けて駆動する。また、左側支持部２２Ｌに内蔵された電池からケーブル１８を介して右側イヤフォン部１６Ｒに電力が供給され、右側イヤフォン部１６Ｒの各部（例えば、右側スピーカ部２０Ｒ内のドライバーユニット、通信チップ、脳波測定に関わる部品等）は、その電力によって駆動する。左側イヤフォン部１６Ｌに電池が設けられず、右側イヤフォン部１６Ｒに電池が設けられてもよい。この場合も、ケーブル１８を介して右側イヤフォン部１６Ｒから左側イヤフォン部１６Ｌに電力が供給される。電池の充電は、例えば、ＵＳＢケーブルを経由して行われてもよいし、イヤフォン装置１０がケースに収容されたときに無線給電によって行われてもよい。なお、左側イヤフォン部１６Ｌと右側イヤフォン部１６Ｒの両方に電池が設けられていてもよい。
【０１０２】
なお、電池の充電による電位測定への影響を防止するために、充電が開始した場合、電位測定を中止してもよい。別の例として、電池や充電に関わる部品の周囲にシールド部材（電磁波防止部材）を設けている場合、充電中であっても電位測定を行ってもよい。
【０１０３】
イヤフォン装置１０にはリモコン等の操作部が設けられていてもよい。
【０１０４】
なお、第１左脳波センサ（イヤーパット２６Ｌ）が、本実施形態に係る電極（発泡体）によって構成された場合、その第１左脳波センサ（イヤーパット２６Ｌ）の２５％圧縮硬さは、４０（ｋＰａ）〜１３５（ｋＰａ）であることが好ましい。こうすることで、第１左脳波センサ（イヤーパット２６Ｌ）が軟らかくなるため、外耳道との密着性が向上する。第１右脳波センサ（イヤーパット２６Ｒ）についても同様である。
【０１０５】
また、左側耳掛け部２４Ｌが、本実施形態に係る電極（発泡体）によって構成された第２左脳波センサ２８Ｌによって構成された場合、第２左脳波センサ２８Ｌの２５％圧縮硬度は、２０（ｋＰａ）〜１１０（ｋＰａ）であることが好ましい。こうすることで、イヤフォン装置１０の装着時の安定感が増す。右側耳掛け部２４Ｒについても同様である。
【０１０６】
第１左脳波センサ（イヤーパット２６Ｌ）と第２左脳波センサ２８Ｌは、互いに異なる材料によって構成されてもよい。この場合、第１左脳波センサの硬度が、第２左脳波センサ２８Ｌの硬度よりも高くてもよい。それとは逆に、第１左脳波センサの硬度が、第２左脳波センサ２８Ｌの硬度よりも低くてもよい。第１右脳波センサ（イヤーパット２６Ｒ）と第２右脳波センサ２８Ｒについても同様である。
【０１０７】
以下、図６を参照して、耳掛け部の形状等について更に詳しく説明する。図６は、左側イヤフォン部１６Ｌを左側支持部２２Ｌ側から見たときの図である。
【０１０８】
左側耳掛け部２４Ｌは、第１曲率を有する第１湾曲部３０と、第２曲率を有する第２湾曲部３２と、第３曲率を有する第３湾曲部３４と、を含む。第１湾曲部３０、第２湾曲部３２及び第３湾曲部３４の中の少なくとも１つの部分の表面に、上述した本実施形態に係る電極（発泡体）、つまり、第２左脳波センサ２８Ｌが設けられていてもよいし、当該少なくとも１つの部分が、本実施形態に係る電極によって構成されていてもよい。第１湾曲部３０の一方端部は左側支持部２２Ｌに接続されており、第１湾曲部３０は、左側支持部２２Ｌから第２湾曲部３２にかけて設けられた部材である。第２湾曲部３２の一方端部は、第１湾曲部３０の他方端部に接続されており、第２湾曲部３２は、その接続部分から第３湾曲部３４に掛けて設けられた部材である。第３湾曲部３４の一方端部は、第２湾曲部３２の他方端部に接続されており、第３湾曲部３４は、その接続部分からケーブル１８にかけて設けられた部材である、第３湾曲部３４の他方端部はケーブル１８に接続されている。なお、第１湾曲部３０、第２湾曲部３２及び第３湾曲部３４は一体化されており、これにより、左側耳掛け部２４Ｌが形成されている。もちろん、第１湾曲部３０、第２湾曲部３２及び第３湾曲部３４は、それぞれ別の部材によって構成されて互いに接続されてもよい。
【０１０９】
第１湾曲部３０の第１曲率は、例えば、Ｒ１２．５〜Ｒ１４．５である。第１湾曲部３０の第１曲率は、Ｒ１３．０〜Ｒ１４．０であってもよいし、Ｒ１３．５であってもよいし。第２湾曲部３２の第２曲率は、例えば、Ｒ１５．５〜Ｒ１７．５である。第２湾曲部３２の第２曲率は、Ｒ１６．０〜Ｒ１７．０であってもよいし、Ｒ１６．５であってもよい。第３湾曲部３４の第３曲率は、例えば、Ｒ１０６．５〜Ｒ１０８．５である。第３湾曲部３４の第３曲率は、Ｒ１０７．０〜Ｒ１０８．０であってもよいし、Ｒ１０７．６であってもよい。
【０１１０】
このように、左側耳掛け部２４Ｌは、部分毎に曲率が異なる形状を有して、全体として左耳の付け根を覆うように形成されている。部分的に曲率を変えることで、左側イヤフォン部１６Ｌの左耳への密着度が高くなり、その結果、脳波測定精度を向上させることができる。もちろん、上記の曲率の値は一例にすぎず、ユーザの耳の形状に適合するように曲率の値が定められてもよい。
【０１１１】
また、重力が働く方向（鉛直方向）に直交する方向を水平方向と定義した場合、左側耳掛け部２４Ｌがユーザの左耳に掛けられて左側イヤフォン部１６Ｌが左耳に装着されたときに、その水平方向から予め定められた角度θを持って傾斜するように左側支持部２２Ｌが配置されている。その角度θは、例えば、３７°〜４３°である。角度θは、３９°〜４１°であってもよいし、４０°であってもよい。このような角度を採用することで、左側イヤフォン部１６Ｌの左耳への密着度を向上させることができる。
【０１１２】
また、第１湾曲部３０の付け根の部分と左側支持部２２Ｌの側面とのなす角度φは、例えば３０°〜４０°である。このような角度で第１湾曲部３０を設けることで、左側イヤフォン部１６Ｌの左耳への密着度を向上させることができる。
【０１１３】
右側イヤフォン部１６Ｒについても左側イヤフォン部１６Ｌと同様である。右側耳掛け部２４Ｒは、上記の第１曲率を有する第１湾曲部と、上記の第２曲率を有する第２湾曲部と、上記の第３曲率を有する第３湾曲部と、を含む。第１湾曲部、第２湾曲部及び第３湾曲部の中の少なくとも１つの部分の表面に、上述した本実施形態に係る電極（発泡体）、つまり、第２右脳波センサ２８Ｒが設けられていてもよいし、当該少なくとも１つの部分が、本実施形態に係る電極によって構成されていてもよい。また、右側支持部２２Ｒは、上記の角度θを持って傾斜するように配置されており、第１湾曲部は、上記の角度φを持って傾斜するように配置されている。
【０１１４】
上述したように、イヤーパット２６Ｌ，２６Ｒは、本実施形態に係る電極（発泡体）、つまり、導電剤を含む発泡体によって構成されるが、別の例として、導電剤を含む発泡体によって構成されたイヤーパットの表面に、脳波センサとして機能する別の電極が更に設けられてもよい。以下、この構成について説明する。図７及び図８には、この別の構成を有するイヤーパットの一例が示されている。図７は、イヤーパットを側面から見た図であり、図８は、イヤーパットを上方（耳に挿入される側）から見た図である。
【０１１５】
イヤーパット３６は、本実施形態に係る電極（発泡体）によって構成され、イヤーパット２６Ｌ，２６Ｒとして用いられる。図７及び図８に示す例では、イヤーパット３６は、円形の断面を有し、先端に向けて幅（円の直径）が狭くなる柱状の形状を有する。イヤーパット３６には、高さ方向に貫通する貫通穴３６ａが形成されており、その貫通穴３６ａを通って音が外部に伝わる。
【０１１６】
イヤーパット３６の側面には、脳波センサとして機能する電極３８が設けられている。電極３８は、イヤーパット３６の高さ方向に並列に配置された複数の線状のセンサ（電極）によって構成されており、イヤーパット３６の外周部において周方向に沿って配置されている。電極３８は、例えばカーボン製の導電性ゴムによって構成されてもよい。電極３８は、電気抵抗を下げるために銀ペーストを含んでもよい。
【０１１７】
脳波センサとして機能するイヤーパットがある程度の湿度を有していると、電位が測定され易いことがある。そこで、イヤーパットの湿度を保つために、イヤーパットの表面が加工されてもよい。一般的に、固体表面の濡れ性は、固体表面の粗さに依存する。例えばＷｅｎｚｅｌの式によると、表面粗さが増加するほど、親水性表面では接触角が小さくなり、表面が濡れ易くなる（つまり、湿度が保持され易くなる）。そこで、イヤーパットの表面粗さが、電位が測定され易い湿度が得られる表面粗さとなるように、イヤーパットの表面を加工して表面粗さを調整してもよい。別の例として、フッ素ガスによる表面処理によってイヤーパットの表面に含酸素官能基を導入することで、イヤーパットの表面に親水性を発現させ、これにより、イヤーパットの湿度を保ってもよい。もちろん、これら以外の方法によってイヤーパットの湿度を、電位が測定され易い湿度に維持してもよい。
【０１１８】
図９及び図１０には、イヤーパットの別の例が示されている。図９及び図１０は、イヤーパット３６を側面から見た図である。イヤーパット３６自体は、図７及び図８に示されているイヤーパット３６と同じ形状を有する。図９に示す例では、電極４０が、複数の三角形状のセンサ（電極）によって構成されており、イヤーパット３６の外周部において周方向に沿って配置されている。図１０に示す例では、電極４２が、複数の円形状のセンサ（電極）によって構成されており、イヤーパット３６の外周部において周方向に沿って配置されている。
【０１１９】
図１１から図１４には、イヤーパッドの更に別の例が示されている。図１１、図１３及び図１４は、イヤーパット３６を側面から見た図であり、図１２は、イヤーパット３６を上方（耳に挿入される側）から見た図である。イヤーパット３６自体は、図７及び図８に示されているイヤーパット３６と同じ形状を有する。図１１及び図１２に示す例では、電極４４は、イヤーパット３６の周方向に並列に配置された複数の線状のセンサ（電極）によって構成されており、イヤーパット３６の外周部において高さ方向に沿って配置されている。図１３に示す例では、電極４６は、複数の三角形状のセンサ（電極）によって構成されており、イヤーパット３６の外周部において高さ方向に沿って配置されている。図１４に示す例では、電極４８は、複数の円形状のセンサ（電極）によって構成されており、イヤーパット３６の外周部において高さ方向に沿って配置されている。
【０１２０】
イヤーパットの表面に設けられた電極の形状や配置は一例に過ぎず、別の形状や配置が採用されてもよい。また、イヤーパット３６の外周の全面に電極が設けられてもよい。
【０１２１】
なお、左側イヤフォン部１６Ｌ又は右側イヤフォン部１６Ｒのいずれか一方に、脳波センサを設けてもよい。例えば、左側イヤフォン部１６Ｌにおいて、イヤーパット２６Ｌとして、本実施形態に係る電極（発泡体）によって構成されたイヤーパットが用いられ、本実施形態に係る電極（発泡体）によって構成された第２左脳波センサ２８Ｌが左側耳掛け部２４Ｌに設けられ、右側イヤフォン部１６Ｒには、脳波センサが設けられなくてもよい。右側イヤフォン部１６Ｒにおいては、導電剤を含まない公知のイヤーパットが用いられ、また、第２右脳波センサ２８Ｒが右側耳掛け部２４Ｒに設けられない。この場合、左側イヤフォン部１６Ｌに設けられた第１左脳波センサと第２左脳波センサとによって電位が測定され、その測定結果を示す情報が、脳波測定結果を示す情報として、イヤフォン装置１０から端末装置１２に送信される。これとは逆の構成として、右側イヤフォン部１６Ｒに脳波センサが設けられ、左側イヤフォン部１６Ｌに脳波センサが設けられなくてもよい。
【０１２２】
別の例として、第２左脳波センサ２８Ｌと第２右脳波センサ２８Ｒが設けられ、イヤーパット２６Ｌ又はイヤーパット２６Ｒのいずれか一方が、本実施形態に係る電極（発泡体）によって構成され、他方が、導電剤を含まない公知のイヤーパットによって構成されてもよい。
【０１２３】
上述したように、左側耳掛け部２４Ｌに設けられた第２左脳波センサ２８Ｌ、及び、右側耳掛け部２４Ｒに設けられた第２右脳波センサ２８Ｒは、本実施形態に係る電極（発泡体）、つまり、導電剤を含む発泡体によって構成されているが、別の例として、第２左脳波センサ２８Ｌや第２右脳波センサ２８Ｒの表面に、脳波センサとして機能する別の電極が更に設けられてもよい。以下、図１５から図１８を参照して、この構成について説明する。図１５から図１８は、イヤフォン装置１０の一部の構成を示す斜視図である。
【０１２４】
図１５に示す例では、右側のイヤーパット２６Ｒの側面に脳波センサとして機能する電極５０が設けられており、第２右脳波センサ２８Ｒの表面に電極５２が設けられている。これとは逆に、左側のイヤーパット２６Ｒの表面に脳波センサとして機能する電極が設けられ、第２左脳波センサ２８Ｌの表面に電極が設けられ、右側イヤフォン部１６Ｒには電極５０，５２が設けられなくてもよい。
【０１２５】
図１６に示す例では、図１５に示されている構成に加えて、２つの電極５２が第２右脳波センサ２８Ｒの表面に設けられている。もちろん、３つ以上の電極５２が設けられてもよい。
【０１２６】
図１７に示す例では、図１５に示されている構成に加えて、第２左脳波センサ２８Ｌの表面にも電極５２が設けられている。
【０１２７】
図１８に示す例では、図１６に示されている構成に加えて、左側イヤフォン部１６Ｌにおいても、電極５０，５２が設けられている。
【０１２８】
本実施形態に係るイヤフォン装置１０によると、複数の脳波センサによって耳を挟むことで、脳波センサを耳に密着させることができるので、電位測定精度を向上させることができ、その結果、脳波測定精度を向上させることが可能となる。
【０１２９】
以下、図１９を参照して、イヤフォン装置１０の機能について詳しく説明する。図１９は、イヤフォン装置１０の機能ブロック図である。
【０１３０】
上述したように、イヤフォン装置１０は、左側イヤフォン部１６Ｌと、右側イヤフォン部１６Ｒと、左側イヤフォン部１６Ｌと右側イヤフォン部１６Ｒとを接続するケーブル１８と、を含む。
【０１３１】
左側イヤフォン部１６Ｌは、左側スピーカ部２０Ｌと、第１左脳波センサ２６Ｌ（イヤーパット２６Ｌ）と、第２左脳波センサ２８Ｌと、通信部５４Ｌと、電池５６と、制御部５８Ｌと、を含む。
【０１３２】
通信部５４Ｌは通信インターフェース（通信チップ）であり、他の装置にデータを送信する機能、及び、他の装置からデータを受信する機能を有する。通信部５４Ｌは、例えば無線通信機能を有する。その通信方式として、上述したように、ブルートゥース等の近距離無線通信、赤外線通信、可視光通信、Ｗｉ−Ｆｉ通信、等が用いられる。ここでは一例として、近距離無線通信（例えばブルートゥース）が用いられるものとする。例えば、通信部５４Ｌは、近距離無線通信によって、左側スピーカ部２０Ｌから発せられる音を表わす信号を外部装置（例えば端末装置１２）から受信する。左側スピーカ部２０Ｌは、通信部５４Ｌによって受信された信号に従って音を発生させる。また、通信部５４Ｌは、近距離無線通信によって、脳波測定結果を示す情報を外部装置（例えば端末装置１２）に送信してもよい。なお、イヤフォン装置１０は、端末装置１２以外の外部装置（例えば再生装置や表示装置等）と組み合わせて用いられてもよいため、端末装置１２以外の外部装置と通信して、音信号を当該外部装置から受信してもよいし、脳波測定結果を示す情報を当該外部装置に送信してもよい。
【０１３３】
電池５６は、左側イヤフォン部１６Ｌの各部に電力を供給する。例えば、電池５６から、左側スピーカ部２０Ｌ、通信部５４Ｌ及び制御部５８Ｌに電力が供給され、左側スピーカ部２０Ｌ、通信部５４Ｌ及び制御部５８Ｌは、電池５６から供給された電力によって駆動する。また、後述するように、右側イヤフォン部１６Ｒに電池が設けられていない場合、ケーブル１８を介して、電池５６から右側イヤフォン部１６Ｒの各部に電力が供給される。電池５６として、例えば、充電可能な電池が用いられる。もちろん、充電不可能な電池が電池５６として用いられてもよい。なお、電池５６や充電に関わる部品の周囲にシールド部材（電磁波防止部材）が設けられてもよい。シールド部材を設けることで、充電中に発する電磁波に起因するノイズを軽減して脳波測定の精度を高めることができる。
【０１３４】
制御部５８Ｌは、左側イヤフォン部１６Ｌの各部の動作を制御する。制御部５８Ｌは、例えば、通信部５４Ｌによる通信を制御したり、脳波測定結果に対して処理（例えば統計処理）を施したり、左側イヤフォン部１６Ｌの各部の故障を検知したり、ケーブル１８の故障を検知したりする。
【０１３５】
右側イヤフォン部１６Ｒは、右側スピーカ部２０Ｒと、第１右脳波センサ２６Ｒ（イヤーパット２６Ｒ）と、第２右脳波センサ２８Ｒと、通信部５４Ｒと、制御部５８Ｒと、を含む。
【０１３６】
通信部５４Ｒは、通信部５４Ｌと同様に、通信インターフェース（通信チップ）であり、他の装置にデータを送信する機能、及び、他の装置からデータを受信する機能を有する。通信部５４Ｒは、例えば無線通信機能を有する。通信方式は、通信部５４Ｌが採用する通信方式（例えばブルートゥース）と同じである。例えば、通信部５４Ｒは、近距離無線通信によって、右側スピーカ部２０Ｒから発せられる音を表わす信号を端末装置１２から受信する。右側スピーカ部２０Ｒは、通信部５４Ｒによって受信された信号に従って音を発生させる。また、通信部５４Ｒは、近距離無線通信によって、脳波測定結果を示す情報を端末装置１２に送信してもよい。
【０１３７】
制御部５８Ｒは、右側イヤフォン部１６Ｒの各部の動作を制御する。制御部５８Ｒは、例えば、通信部５４Ｒによる通信を制御したり、脳波測定結果に対して処理（例えば統計処理）を施したり、右側イヤフォン部１６Ｒの各部の故障を検知したり、ケーブル１８の故障を検知したりする。
【０１３８】
なお、制御部５８Ｌ又は制御部５８Ｒのいずれか一方が、イヤフォン装置１０に設けられて、その一方の制御部が、イヤフォン装置１０の各部の動作を制御してもよい。
【０１３９】
右側イヤフォン部１６Ｒには電池が設けられていない。上述したように、ケーブル１８を介して、左側イヤフォン部１６Ｌに設けられた電池５６から右側イヤフォン部１６Ｒに電力が供給され、右側スピーカ部２０Ｒ、通信部５４Ｒ及び制御部５８Ｒは、電池５６から供給された電力によって駆動する。一方のイヤフォン部のみに電池を設けることで、イヤフォン装置１０の全体の重さを軽くすることができる。
【０１４０】
もちろん、左側イヤフォン部１６Ｌと右側イヤフォン部１６Ｒの両方に電池が設けられてもよい。この場合、右側イヤフォン部１６Ｒに設置された電池から右側イヤフォン部１６Ｒの各部に電力が供給される。別の例として、右側イヤフォン部１６Ｒに電池が設けられ、左側イヤフォン部１６Ｌに電池が設けられなくてもよい。この場合、ケーブル１８を介して、右側イヤフォン部１６Ｒに設置された電池から左側イヤフォン部１６Ｌに電力が供給される。
【０１４１】
第１左脳波センサ２６Ｌ（イヤーパット２６Ｌ）と第２左脳波センサ２８Ｌとによって第１電位差が測定され、第１右脳波センサ２６Ｒ（イヤーパット２６Ｒ）と第２右脳波センサ２８Ｒとによって第２電位差が測定されると、制御部５８Ｌ又は制御部５８Ｌは、第１電位差と第２電位差に対して統計処理（例えば単純平均や重み付け平均）を適用し、その統計処理によって得られた値を脳波測定結果として採用する。この場合、その脳波測定結果を示す情報が、通信部５４Ｌ又は通信部５４Ｒによって、イヤフォン装置１０から端末装置１２に送信される。もちろん、統計処理が行われる前の情報がイヤフォン装置１０から端末装置１２に送信されて、端末装置１２にて統計処理が行われてもよい。この場合、第１電位差を示す情報が、第１脳波測定結果を示す情報として、通信部５４Ｌによってイヤフォン装置１０から端末装置１２に送信され、第２電位差を示す情報が、第２脳波測定結果を示す情報として、通信部５４Ｒによってイヤフォン装置１０から端末装置１２に送信される。
【０１４２】
ケーブル１８に故障が発生した場合、第１脳波測定結果を示す情報が、通信部５４Ｌによってイヤフォン装置１０から端末装置１２に送信され、第２脳波測定結果を示す情報が、通信部５４Ｒによってイヤフォン装置１０から端末装置１２に送信されてもよい。
【０１４３】
通信部５４Ｌ又は通信部５４Ｒのいずれか一方が故障した場合、故障していない通信部（通信チップ）を用いて、脳波測定結果を示す情報を端末装置１２に送信してもよい。
【０１４４】
左側イヤフォン部１６Ｌ又は右側イヤフォン部１６Ｒのいずれか一方が故障した場合、故障していないイヤフォン部は、当該イヤフォン部によって得られた脳波測定結果を示す情報を端末装置１２に送信してもよい。
【０１４５】
電池５６の充電中、制御部５８Ｌ又は制御部５８Ｒは、脳波測定結果を示す情報を端末装置１２に送信しなくてもよいし、脳波測定を中止してもよい。別の例として、電池５６の充電中、制御部５８Ｌは、第１左脳波センサ２６Ｌ（イヤーパット２６Ｌ）と第２左脳波センサ２８Ｌとによる脳波測定を中止し、制御部５８Ｒは、第１右脳波センサ２６Ｒ（イヤーパット２６Ｒ）と第２右脳波センサ２８Ｒとによる脳波測定を継続してもよい。この場合、右側イヤフォン部１６Ｒによって得られた脳波測定結果を示す情報が、イヤフォン装置１０から端末装置１２に送信される。電池５６の充電中、電池５６が設けられている左側イヤフォン部１６Ｌによって得られた脳波測定結果は、その充電に起因するノイズの影響を受け易いが、電池が設けられていない右側イヤフォン部１６Ｒによって得られた脳波測定結果は、そのようなノイズの影響を受け難い。従って、左側イヤフォン部１６Ｌによる脳波測定を中止し、右側イヤフォン部１６Ｒによって得られた脳波測定結果を示す情報を端末装置１２に送信することで、充電に起因するノイズの影響がより少ない脳波測定結果が端末装置１２に与えられる。もちろん、電池５６の充電中においても、左側イヤフォン部１６Ｌによる脳波測定を継続してもよい。この場合、左側イヤフォン部１６Ｌによる測定結果を用いずに、右側イヤフォン部１６Ｒによって得られた測定結果を用いて、脳波が得られる。例えば、左側イヤフォン部１６Ｌによる測定結果を示す情報が、イヤフォン装置１０から端末装置１２に送信されなくてもよいし、脳波解析の際に用いられなくてもよい。
【０１４６】
以下、図２０を参照して、端末装置１２の構成について詳しく説明する。図２０は、端末装置１２の機能ブロック図である。
【０１４７】
通信部６０は通信インターフェースであり、他の装置にデータを送信する機能、及び、他の装置からデータを受信する機能を有する。通信部６０は、例えば無線通信機能を有する。その通信方式として、ブルートゥース等の近距離無線通信、赤外線通信、可視光通信、Ｗｉ−Ｆｉ通信、等が用いられる。通信部６０は、有線通信機能を有していてもよい。
【０１４８】
通信部６０は、例えば近距離無線通信（例えばブルートゥース）によってイヤフォン装置１０と通信する。より詳しく説明すると、通信部６０は、近距離無線通信によって、左側スピーカ部２０Ｌから発せられる音を表わす信号を左側スピーカ部２０Ｌの通信部５４Ｌに送信し、右側スピーカ部２０Ｒから発せられる音を表わす信号を右側スピーカ部２０Ｒの通信部５４Ｒに送信する。また、通信部６０は、近距離無線通信によって、脳波測定結果を示す情報をイヤフォン装置１０から受信する。なお、端末装置１２は、イヤフォン装置１０以外のイヤフォンや脳波測定装置と組み合わせて用いられてもよい。この場合、端末装置１２は、当該脳波測定装置から脳波測定結果を示す情報を受信し、イヤフォン装置１０や他のイヤフォンに音信号を送信してもよい。
【０１４９】
また、通信部６０は、Ｗｉ−Ｆｉ等の無線通信機能又は有線通信機能によって、通信経路Ｎを介して他の装置と通信する。通信部６０は、例えばインターネット経由で情報を送受信する。通信部６０は、通信経路Ｎを介して、音楽配信サーバ１４から音楽データをダウンロードしてもよいし、音楽データをストリーミング形式で受信してもよい。
【０１５０】
記憶部６２はハードディスクやメモリ（例えばＳＳＤ等）等の記憶装置である。記憶部６２には、例えば、各種のデータ、各種のプログラム、音楽配信サーバ１４のアドレスを示すアドレス情報、等が記憶されている。また、記憶部６２は、リスト記憶部６４を含む。
【０１５１】
リスト記憶部６４は、１又は複数のコンテンツプレイリストのデータを記憶する。コンテンツは例えば音楽や動画であり、コンテンツプレイリストは、コンテンツを識別するためのコンテンツ識別情報によって構成されたリストである。コンテンツプレイリストには、１又は複数のコンテンツが登録されており、コンテンツプレイリストは、１又は複数のコンテンツに対応する１又は複数のコンテンツ識別情報によって構成されている。
【０１５２】
リスト記憶部６４は、コンテンツプレイリストの一例として、１又は複数の音楽プレイリストのデータを記憶する。音楽プレイリストは、音楽（曲）を識別するための音楽識別情報（例えば曲タイトル、アーティスト名、アルバム名等）によって構成されたリストである。音楽プレイリストには、１又は複数の音楽が登録されており、音楽プレイリストは、１又は複数の音楽に対応する１又は複数の音楽識別情報によって構成されている。音楽プレイリストは、例えばユーザ毎に作成されて、ユーザに紐付いて管理される。具体的には、音楽プレイリストのデータに、ユーザを識別するためのユーザ識別情報（例えばユーザＩＤやユーザ名等）が関連付けられる。また、初期音楽プレイリストが予め作成されてもよいし、脳波状態毎の音楽プレイリストが予め作成されてもよいし、ユーザが希望する脳波状態毎の音楽プレイリストが作成されてもよい。これらの音楽プレイリストのデータがリスト記憶部６４に記憶されてもよい。初期音楽プレイリストは、予め選択された１又は複数の音楽（曲）に対応する１又は複数の音楽識別情報によって構成されたリストである。もちろん、ジャンル毎のリスト、アーティスト毎のリスト、年代別のリスト、等が作成されてもよい。音楽データ自体は、記憶部６２に記憶されていてもよいし、他の装置（例えば音楽配信サーバ１４や他のサーバ等）に記憶されていてもよい。
【０１５３】
リスト記憶部６４は、コンテンツリストの一例として、１又は複数の動画プレイリストのデータを記憶してもよい。動画プレイリストは、動画を識別するための動画識別情報（例えば動画タイトル、動画作成者等）によって構成されたリストである。動画プレイリストには、１又は複数の動画が登録されており、動画プレイリストは、１又は複数の動画に対応する１又は複数の動画識別情報によって構成されている。動画プレイリストは、例えばユーザ毎に作成されて、ユーザに紐付いて管理される。具体的には、動画プレイリストのデータに、ユーザ識別情報が関連付けられる。また、初期動画プレイリストが予め作成されてもよいし、脳波状態毎の動画プレイリストが予め作成されてもよい。これらの動画プレイリストのデータがリスト記憶部６４に記憶されてもよい。初期動画プレイリストは、予め選択された１又は複数の動画に対応する１又は複数の動画識別情報によって構成されたリストである。もちろん、ジャンル毎のリスト、動画作成者毎のリスト、年代別のリスト、等が作成されてもよい。動画データ自体は、記憶部６２に記憶されていてもよいし、他の装置（例えば動画配信サーバや他のサーバ等）に記憶されていてもよい。
【０１５４】
なお、音楽と動画とが混在したコンテンツプレイリストが作成されてリスト記憶部６４に記憶されてもよい。
【０１５５】
ＵＩ部６６はユーザインターフェース部であり、表示部と操作部を含む。表示部は、例えば液晶ディスプレイ等の表示装置である。操作部は、例えば、タッチパネル、ボタン、キーボード、マウス、等の入力装置である。もちろん、表示部と操作部を兼ねたユーザインターフェース（例えばタッチ式のディスプレイや、ディスプレイ上に電子的にキーボード等を表示する機器）であってもよい。
【０１５６】
制御部６８は、端末装置１２の各部の動作を制御する。また、制御部６８は、脳波状態評価部７０と、リスト作成部７２と、表示制御部７４と、再生制御部７６と、を含む。
【０１５７】
脳波状態評価部７０は、脳波測定結果を示す情報を受けて、脳波測定結果（例えば電位差）を解析することで、ユーザの脳波状態を評価する。脳波状態は、例えば、集中、リラックス、眠い、目が覚めている、等である。脳波状態評価部７０は、脳波解析によって得られた脳波状態を数値化してもよい。ユーザの脳波状態が１つの状態に定まらず、複数の脳波状態が混在している場合もある。例えば、脳波状態として「集中」状態と「リラックス」状態が混在している場合、脳波状態評価部７０は、「集中度」と「リラックス度」のそれぞれを数値化する。なお、脳波測定結果（電位差を示す情報）から脳波状態を評価する方法として、公知技術を用いることができる。例えば、脳波測定結果から得られたδ波、θ波、α波、β波を解析することで、脳波状態を評価することができる。
【０１５８】
脳波状態評価部７０は、単位時間毎（例えば１秒毎）の脳波状態を表わす数値を演算してもよいし、予め定められた時間の間における脳波状態を表わす数値の平均値（時間平均）を演算してもよい。また、脳波状態評価部７０は、その数値の時間変化を表わす波形（脳波状態の時間変化を表わす波形）を生成してもよい。
【０１５９】
また、脳波状態評価部７０は、コンテンツと脳波状態とを関連付ける。例えば、音楽の再生中、脳波状態評価部７０は、脳波測定結果を示す情報に基づいてユーザの脳波状態を評価し、その音楽とその脳波状態とを関連付ける。脳波状態の時間変化が得られるため、１曲中の個々の時点における脳波状態が測定されることになる。これにより、曲中の個々の時点における脳波状態を特定することができる。
【０１６０】
脳波状態評価部７０は、例えば、音楽を識別する音楽識別情報（例えばタイトル等）と、ユーザの脳波状態を示す脳波状態情報と、を関連付ける。音楽識別情報は、脳波状態情報が関連付けられた状態で記憶部６２に記憶される。脳波状態情報は、その曲が再生されている間に得られた脳波状態を示す情報であり、例えば、単位時間毎の脳波状態を表わす数値、その数値の平均値、その数値の時間変化を表わす波形等を示す情報である。平均値は、例えば、１曲の全時間帯又は一部の時間帯（例えば指定された時間帯）における時間平均である。例えば、脳波状態が「集中」に該当する場合、脳波状態情報は、単位時間毎の「集中度」（数値）、その平均値、「集中度」の時間変化を表わす波形、等を含む。また、複数の脳波状態が混在している場合、脳波状態情報は、単位時間毎の各脳波状態を表わす数値、各脳波状態の数値の平均値（時間平均）、各脳波状態を表わす波形を含む。例えば、脳波状態として「集中」と「リラックス」が混在している場合、脳波状態情報は、単位時間毎の「集中度」（数値）、その平均値、「集中度」の時間変化を表わす波形、単位時間毎の「リラックス度」（数値）、その平均値、「リラックス度」の時間変化を表わす波形を含む。
【０１６１】
動画の再生中に脳波を測定した場合も、音楽についての処理と同様であり、動画を識別する動画識別情報（例えばタイトル等）と、ユーザの脳波状態を示す脳波状態情報と、が関連付けられる。
【０１６２】
なお、脳波状態評価部７０が解析する脳波測定結果は、イヤフォン装置１０によって得られた結果であってもよいし、他の脳波測定装置によって得られた結果であってもよい。
【０１６３】
脳波状態評価部７０は、端末装置１２に設けられずに、他の装置に設けられもよい。例えば、管理サーバが情報処理システムに含まれており、その管理サーバに脳波状態評価部７０が設けられてもよい。この場合、管理サーバ等の他の装置によってユーザの脳波状態が評価され、その脳波状態を示す情報が、当該他の装置から端末装置１２に送信されてもよい。もちろん、イヤフォン装置１０に脳波状態評価部７０が設けられて、イヤフォン装置１０にて脳波測定結果が解析されて脳波状態が評価されてもよい。この場合、その評価を示す脳波状態情報が、イヤフォン装置１０から端末装置１２に送信されてもよい。
【０１６４】
リスト作成部７２は、コンテンツプレイリストとしての音楽プレイリストや動画プレイリストを作成する。リスト作成部７２は、ユーザが選択した音楽の音楽識別情報を含む音楽プレイリストや、ユーザが選択した動画の動画識別情報を含む動画プレイリストを作成してもよいし、脳波状態毎の音楽プレイリストや動画プレイリストを自動的に作成してもよい。もちろん、リスト作成部７２は、ジャンル毎のリスト、アーティストや動画作成者毎のリストや、年代別のリスト、等を作成してもよい。
【０１６５】
上記のように、音楽の再生中にユーザの脳波状態が評価された場合、音楽と脳波状態とが関連付けられる。この場合、リスト作成部７２は、脳波状態の評価結果に基づいて、脳波状態に適合する音楽プレイリスト（その脳波状態用の音楽プレイリスト）を作成する。例えば、ある音楽に関連付けられている脳波状態を表わす数値の平均値が閾値以上の場合、リスト作成部７２は、その音楽を、その脳波状態に適合する音楽プレイリストに登録する。例えば、ある音楽に、脳波状態「集中」と「リラックス」が関連付けられており、「集中度」が閾値以上であり、「リラックス度」が閾値未満の場合、リスト作成部７２は、その音楽を「集中」に適合する音楽プレイリスト（集中用の音楽プレイリスト）に登録する。「リラックス度」も閾値以上の場合、リスト作成部７２は、その音楽を「集中」に関連する音楽プレイリストに登録すると共に、「リラックス」に関連する音楽プレイリスト（リラックス用の音楽プレイリスト）にも登録する。このようにして、ユーザ固有の音楽プレイリストであって脳波状態毎の音楽プレイリストが作成される。
【０１６６】
動画の再生中にユーザの脳波状態が評価された場合も、音楽についての処理と同様であり、ユーザ固有の脳波状態毎の動画プレイリストが作成される。
【０１６７】
なお、コンテンツリストのデータは、リスト作成部７２によって作成されずに、他の装置（例えばＰＣ、スマートフォン、音楽プレイヤー等）等によって作成されてもよいし、音楽配信サーバ１４、動画配信サーバ、管理サーバ等によって作成されてもよい。
【０１６８】
表示制御部７４は、各種の情報の表示を制御する。表示制御部７４は、脳波状態評価部７０によって得られた脳波状態を示す情報（例えば数値や波形）をＵＩ部６６に表示させてもよいし、音楽プレイリストや動画プレイリストをＵＩ部６６に表示させてもよいし、再生中の曲や動画に関する情報をＵＩ部６６に表示させてもよい。
【０１６９】
再生制御部７６は、コンテンツプレイリストに含まれるコンテンツ（音楽や動画）を再生する。
【０１７０】
例えば、ユーザが、リスト記憶部６４に記憶されている複数の音楽プレイリストの中から音楽プレイリストを指定して再生指示を与えた場合、再生制御部７６は、ユーザによって指定された音楽プレイリストに登録されている音楽（曲）を再生する。例えば、再生制御部７６は、音楽プレイリストに登録されている音楽のデータが記憶部６２に記憶されている場合、その音楽データを記憶部６２から取得して再生してもよいし、その音楽データを音楽配信サーバ１４からダウンロードして再生してもよいし、音楽配信サーバ１４によってストリーミング配信されたその音楽データを再生してもよいし、これら以外の他の装置から音楽データを取得して再生してもよい。もちろん、ユーザによって音楽プレイリストが指定されずに、音楽（曲）そのものが指定された場合、再生制御部７６は、その指定された音楽を再生する。
【０１７１】
また、ユーザが希望の脳波状態を指定して再生を指示した場合、再生制御部７６は、ユーザの脳波状態を希望の脳波状態に遷移させ又は維持するための音楽（曲）を再生する。音楽と脳波状態とが関連付けられている場合、再生制御部７６は、ユーザが希望する脳波状態に関連付けられている音楽を再生する。例えば、再生制御部７６は、当該希望の脳波状態を表わす数値（例えば平均値）が閾値以上となる音楽を再生する。具体例を挙げて説明すると、希望の脳波状態が「集中」の場合、再生制御部７６は、閾値以上の「集中度」（例えば平均値）が関連付けられた音楽を再生する。再生制御部７６は、閾値以上の数値が関連付けられた音楽をランダムに再生してもよいし、数値が高い音楽を数値が低い音楽よりも先に再生してもよいし、ジャンルやアーティストが指定された場合には、その指定されたジャンルやアーティストの音楽であって閾値以上の数値が関連付けられた音楽を再生してもよい。また、再生制御部７６は、希望の脳波状態に適合する音楽プレイリストに登録されている音楽を再生してもよい。例えば、希望の脳波状態が「集中」の場合、再生制御部７６は、「集中」に適合する音楽プレイリスト（集中用の音楽プレイリスト）に登録されている音楽を再生する。
【０１７２】
その音楽の再生中も、イヤフォン装置１０によって脳波が測定され、脳波状態評価部７０によって脳波状態が評価され、その脳波状態がその音楽に関連付けられる。既に脳波状態が関連付けられている音楽を再生した場合、新たに脳波状態が評価され、その新たな脳波状態もその音楽に関連付けられる。つまり、過去に得られた脳波状態と新たに得られた現在の脳波状態とが同一の音楽に関連付けられる。このようにして、各再生で得られた脳波状態が、脳波状態の履歴として音楽に関連付けられる。これにより、ユーザが同一の音楽を聴いた場合において、過去の脳波状態と現在の脳波状態との対比が可能となる。もちろん、現在の再生よりも１つ前の再生で得られた脳波状態が音楽に関連付けられ、それよりも過去に得られた脳波状態は音楽に関連付けられなくてもよい。なお、この例では、音楽再生中にイヤフォン装置１０によって脳波を測定しているが、もちろん、音楽や動画を再生しなくても、イヤフォン装置１０によって脳波を測定してもよい。
【０１７３】
また、再生制御部７６は、音楽配信サーバ１４から試聴用の音楽データを受けて、その試聴用の音楽を再生してもよい。その試聴用の音楽データは、例えば無料で提供されるデータであり、その再生時間は、有料版の音楽データの再生時間よりも短く、その音質は、有料版の音楽データの音質よりも低音質である。試料用の音楽の再生中も、イヤフォン装置１０によって脳波が測定され、脳波状態評価部７０によって脳波状態が評価され、その脳波状態を表わす数値や波形がＵＩ部６６に表示される。試聴用音楽の再生中に得られた脳波状態を表わす数値が、その音楽を購入する際の判断材料としてユーザに提示されてもよい。別の例として、音楽配信サーバ１４によって推奨された音楽プレイリストが端末装置１２に表示されてもよい。また、試聴用の音楽データは、音楽配信サーバ１４にて指定された１又は複数の曲のデータであってもよいし、１又は複数のジャンルから選択された音楽データであってもよい。
【０１７４】
動画を再生する場合も、音楽を再生する場合と同様の処理が行われる。
【０１７５】
コンテンツプレイリストのデータは、リスト記憶部６４に記憶されずに、他の装置（例えば音楽配信サーバ１４や動画配信サーバや管理サーバ等）に記憶されてもよい。この場合、再生制御部７６は、コンテンツプレイリストのデータが記憶されている他の装置からコンテンツプレイリストのデータを取得したり、他の装置に格納されたコンテンツプレイリストを参照したりして、そのコンテンツプレイリストに含まれるコンテンツを再生する。
【０１７６】
なお、各音楽の再生中の脳波状態を測定する場合、再生制御部７６は、音楽（曲）の一部（例えば曲の最初から途中までの部分）を再生し、脳波状態評価部７０は、その再生中に得られた脳波測定結果に基づいて脳波状態を評価し、再生制御部７６及び脳波状態評価部７０は、この再生と評価をセットとして、複数の音楽（曲）についてそのセット（再生と評価）を行ってもよい。これにより、各音楽が部分的に再生されて、各音楽の再生中の脳波状態が測定される。リスト作成部７２は、このようにして得られた脳波状態を示す情報を用いて、脳波状態毎の音楽プレイリストを作成してもよい。例えば、脳波状態毎の音楽プレイリストが存在しない状態で、複数の音楽について上記のセットを行うことで、脳波状態毎の音楽プレイリストが簡易に作成される。
【０１７７】
以下、端末装置１２による処理について詳しく説明する。
【０１７８】
ユーザがイヤフォン装置１０を装着して脳波が測定されると、その脳波測定結果を示す情報が、イヤフォン装置１０から端末装置１２に送信される。脳波状態評価部７０は、イヤフォン装置１０から送信された脳波測定結果を示す情報を解析することで、ユーザの脳波状態を表わす数値を演算し、その数値の時間変化を表わす波形を生成する。表示制御部７４は、その評価や波形を表わす脳波表示画面をＵＩ部６６に表示させる。
【０１７９】
図２１には、脳波表示画面の一例が示されている。脳波表示画面７８はＵＩ部６６に表示される画面である。脳波表示画面７８には、一例として、波形８０，８２と評価値８４，８６が表示されている。波形８０は、脳波状態の一例としてのユーザの「集中度」の時間変化を表わす波形であり、波形８２は、脳波状態の一例としてのユーザの「リラックス度」の時間変化を表わす波形である。波形８０，８２は、脳波状態評価部７０によって生成された波形である。評価値８４は、「集中度」の時間平均（例えば予め定められた時間の間における平均値）を示しており、評価値８６は、「リラックス度」の時間平均を示している。評価値８４，８６は、脳波状態評価部７０によって演算された値である。図２１に示す例では、「集中」という脳波状態と「リラックス」という脳波状態が混在しており、それぞれが数値化されている。もちろん、ユーザによって指定された脳波状態を示す情報（例えば数値）のみが表示されてもよいし、予め定められた脳波状態を示す情報のみが表示されてもよい。
【０１８０】
再生制御部７６によって音楽が再生されると、その再生中、イヤフォン装置１０によってユーザの脳波が測定され、その脳波測定結果を示す情報が、イヤフォン装置１０から端末装置１２に送信される。脳波状態評価部７０は、その脳波測定結果を示す情報に基づいて、ユーザの脳波状態を評価する。表示制御部７４は、再生対象として選択された音楽を表示する音楽再生画面をＵＩ部６６に表示させ、その音楽再生画面内に脳波状態の評価結果を示す情報を表示する。
【０１８１】
図２２には、音楽再生画面の一例が示されている。音楽再生画面８８はＵＩ部６６に表示される画面である。音楽再生画面８８には、一例として、矢印９０で示すように、再生操作ボタン画像、シークバー、経過時間、曲のタイトル「ＡＡＡＡＡＡＡＡＡ」等が表示される。また、音楽再生画面８８には、再生対象の音楽に紐付く画像９２、評価値９４，９６、及び、弧状の評価バー９８，１００が表示される。画像９２のデータは、端末装置１２に記憶されていてもよいし、音楽配信サーバ１４等の他の装置に記憶されていてもよい。評価値９４は、ユーザの「集中度」を示す値であり、評価値９６は、ユーザの「リラックス度」を示す値である。評価値９４，９６は、現時点での瞬間値であってもよいし、再生中の曲の再生開始時点から現時点までの平均値であってもよい。評価バー９８は「集中度」を表わす画像である。評価バー９８の長さは、「集中度」の値が反映された長さであり、「集中度」の値が大きくなるほど、評価バー９８の長さは長くなる。評価バー１００は「リラックス度」を表わす画像である。評価バー１００の長さは、「リラックス度」の値が反映された長さであり、「リラックス度」の値が大きくなるほど、評価バー１００の長さは長くなる。
【０１８２】
脳波状態評価部７０は、再生中の音楽を識別するための音楽識別情報と、その再生中に得られた脳波状態を示す脳波状態情報と、を関連付けて、脳波状態情報が関連付けられた音楽識別情報を記憶部６２に記憶させる。このように、脳波状態評価部７０は、再生された音楽毎に、音楽識別情報と脳波状態情報とを関連付けて記憶部６２に記憶させる。リスト作成部７２は、音楽識別情報に関連付けられている脳波状態情報に基づいて、ユーザ固有の脳波状態毎の音楽プレイリストを作成する。
【０１８３】
例えば、脳波状態の数値の閾値が「６０」に設定されているものとする。図２２に示す例では、「集中度」の平均値が「９１」であり、閾値「６０」以上であるため、リスト作成部７２は、図２２に示されている音楽を、「集中」に適合する音楽プレイリスト（集中用の音楽プレイリスト）に登録する。なお、閾値の値は一例に過ぎず、別の値が用いられてもよい。また、ユーザが閾値を変えられるようにしてもよい。
【０１８４】
図２３には、音楽再生画面の別の例が示されている。音楽再生画面１０２はＵＩ部６６に表示される画面である。音楽再生画面１０２は、一例として、矢印１０４で示すように、再生操作ボタン画像や曲のタイトル等が表示される。また、音楽再生画面１０２には、音楽に関連付けられた脳波状態を示す情報として、波形１０６，１０８、評価値情報１１０、平均値１１２、及び、メッセージ１１４が表示されている。その音楽は、例えば、ユーザによって指定された音楽であってもよいし、ランダムに選曲された音楽であってもよいし。また、その脳波状態は、例えば過去に得られた脳波状態である。
【０１８５】
波形１０６は、脳波状態の一例としてのユーザの「集中度」の時間変化を表わす波形であり、波形１０８は、脳波状態の一例としてのユーザの「リラックス度」の時間変化を表わす波形である。評価値情報１１０は、曲中の指定された時点における評価値を示す情報であり、その時点における「集中度」と「リラックス度」を示す。図２３に示す例では、その時点における「集中度」は「７１」であり、「リラックス度」は「６０」である。単位時間毎に脳波状態を表わす数値が得られているため、このような表示が可能となる。ユーザが曲中の時間を指定すると、その時間における評価値が表示される。これにより、１曲の中で、どの時間帯でどのような脳波状態であるのかが、ユーザに提示される。例えば、ユーザは、「集中度」が高い時間（曲の部分）や「リラックス度」が高い時間が分かるようになる。平均値１１２は、１曲の全時間又は一部の時間における脳波状態の数値の平均値である。図２３に示す例では、「集中度」の平均値が「リラックス度」の平均値よりも大きいため、「集中度」の平均値「７７」が表示されている。また、その平均値が閾値以上となっているため、よく集中できたと評価されており、そのようなメッセージ１１４が表示されている。なお、「リラックス度」の平均値が演算されて表示されてもよい。
【０１８６】
なお、タイマー機能が設けられてもよい。例えば、希望の脳波状態（例えば集中やリラックス等）と時間の長さがユーザによって指定されると、再生制御部７６は、その指定された時間の間、ユーザの脳波状態が希望の脳波状態に維持するように音楽の再生を制御する。複数の時間の長さの候補が予め定められていて、ユーザは、複数の候補の中から希望の時間の長さを指定してもよいし、ユーザが希望する任意の時間の長さを指定してもよい。
【０１８７】
以下、図２４を参照して、脳波状態に適合する音楽プレイリストについて詳しく説明する。図２４には、プレイリスト画面の一例が示されている。プレイリスト画面１１６はＵＩ部６６に表示される画面である。例えば、ユーザが、１又は複数の音楽プレイリストの中から音楽プレイリストを指定すると、表示制御部７４は、プレイリスト画面１１６をＵＩ部６６に表示させ、ユーザによって指定された音楽プレイリストに含まれる音楽に関する情報をプレイリスト画面１１６に表示する。ユーザが希望の脳波状態を指定した場合、表示制御部７４は、その希望の脳波状態に適合する音楽プレイリストに含まれる音楽に関する情報をプレイリスト画面１１６に表示してもよい。
【０１８８】
図２４に示す例では、脳波状態「集中」に適合する音楽プレイリスト（集中プレイリスト）に登録されている音楽に関する情報が表示されている。集中プレイリストは、閾値以上の「集中度」が関連付けられた１又は複数の音楽が登録されているリストである。
【０１８９】
プレイリスト画面１１６には、例えば、集中プレイリストにおいて現在選択されている曲（音楽）に関連付けられている評価値１１８、その次の曲に関連付けられている評価値１２０、及び、前の曲に関連付けられている評価値１２２が表示されている。評価値１１８，１２０，１２２は、「集中度」を表わしている。例えば、選択中の曲に関連付けられている集中度は「９１」であり、この曲でよく集中できたことを示すメッセージが表示されている。また、集中度の大きさに応じた形状を有する画像も表示されている。また、選択中の曲のタイトル「ＡＡＡＡＡＡＡＡＡ」が表示されている。
【０１９０】
また、波形１２４，１２６及び評価値情報１２８が表示されている。これらは、選択中の曲に関連付けられている脳波状態を示す情報である。波形１２４は、「集中度」の時間変化を表わす波形であり、波形１２６は、「リラックス度」を表わす時間変化を表わす波形である。また、評価値情報１２８は、選択された曲中の指定された時点における評価値を示す情報であり、その時点における「集中度」と「リラックス度」を示す。
【０１９１】
また、プレイリスト評価値１３０が表示されている。プレイリスト評価値１３０は、集中プレイリストに登録されている全曲（全音楽）についての「集中度」の評価値であり、例えば、全曲の集中度の数値（平均値）の平均値である。図２４に示す例では、プレイリスト評価値１３０は「８５」である。なお、プレイリスト評価値１３０は、リスト作成部７２によって演算される。
【０１９２】
また、再生制御部７６は、ユーザの脳波状態が希望の脳波状態に遷移し又は維持するように、音楽プレイリストに含まれる各音楽（曲）の順番を変えて、音楽を再生してもよい。再生制御部７６は、例えば、希望の脳波状態に適合する音楽プレイリストの中で、その希望の脳波状態を表わす数値が高い音楽から順に再生する。上記の例では、再生制御部７６は、集中プレイリストに登録されている全曲の中で、「集中度」の評価値が高い曲から順に再生する。
【０１９３】
図２５には、別のプレイリスト画面が示されている。プレイリスト画面１３２はＵＩ部６６に表示される画面である。このプレイリスト画面１３２には、一例として、脳波状態「集中」に適合する音楽プレイリスト（集中プレイリスト）に登録されている音楽に関する情報が表示されている。
【０１９４】
プレイリスト画面１３２には、例えば、集中プレイリストにおいて現在選択されている曲に関連付けられている評価値１３４、その次の曲に関連付けられている評価値１３６、及び、前の曲に関連付けられている評価値１３８が表示されている。評価値１３４，１３６，１３８は、集中度を表わしている。例えば、選択中の曲に関連付けられている集中度は「９１」であり、この曲でよく集中できたことを示すメッセージが表示されている。また、曲に関連する画像や、集中度の大きさに応じた形状を有する画像も表示されている。また、選択中の曲のタイトル「ＡＡＡＡＡＡＡＡＡ」が表示されている。
【０１９５】
また、図２４に示す例と同様に、波形１４０，１４２及び評価値情報１４４が表示されている。これらは、選択中の曲に関連付けられた脳波状態を示す情報である。波形１４０は、「集中度」の時間変化を表わす波形であり、波形１４２は、「リラックス度」を表わす時間変化を表わす波形である。また、評価値情報１４４は、選択された曲中の指定された時点における評価値を示す情報であり、その時点における「集中度」と「リラックス度」を示す。また、図２４に示す例と同様に、プレイリスト評価値１４６が表示されている。
【０１９６】
また、比較結果情報１４８が表示されている。比較結果情報１４８は、脳波状態に対する音楽再生の効果を示す情報の一例に相当し、現時点におけるプレイリスト評価値と、過去の時点におけるプレイリスト評価値と、の比較結果を示す情報である。上述したように、各音楽（曲）には過去に得られた１又は複数の脳波状態が履歴として関連付けられており、その履歴を用いることで、上記の比較が行われる。この比較は、例えばリスト作成部７２によって行われる。例えば、日単位、週単位、月単位、年単位、又は、ユーザよって指定された期間単位で、現時点におけるプレイリスト評価値（例えば、今日のプレイリスト評価値、今週のプレイリスト評価値、今月のプレイリスト評価値、今年のプレイリスト評価値等）と、過去の時点におけるプレイリスト評価値（例えば、昨日のプレイプレイリスト評価値、先週のプレイリスト評価値、先月のプレイリスト評価値、前年のプレイリスト評価値等）と、が比較され、その比較結果を示す情報が表示される。図２５に示す例では、先週よりもプレイリスト評価値が５点上がっている。このように、比較結果を表示することで、ユーザは過去の脳波状態と現在の脳波状態との差異を知ることができるので、楽しみながら本システムを利用することができる。
【０１９７】
また、脳波状態評価部７０は、各音楽について、前回再生時の脳波状態を表わす数値と、今回再生時の脳波状態を表わす数値との差を演算し、リスト作成部７２は、その差に応じて、音楽プレイリスト中の各音楽の再生順位を変更してもよい。その差が、脳波状態に対する音楽再生の効果の一例に相当する。例えば、リスト作成部７２は、数値の増加分が大きい音楽ほど、音楽プレイリスト中の再生順位を上位に設定する。例えば、同一の脳波状態に適合する音楽プレイリスト（例えば集中用の音楽プレイリスト）に含まれる複数の音楽について、数値の増加分が大きい音楽ほど再生順位が上位に設定される。表示制御部７４は、音楽毎に得られた差を示す情報をＵＩ部６６に表示させてもよい。脳波状態評価部７０は、ユーザが希望する脳波状態に関して、各音楽についての上記の差を演算し、リスト作成部７２は、その希望の脳波状態に適合する音楽プレイリスト中の各音楽の再生順位を、その差に応じて変更してもよい。
【０１９８】
また、脳波状態評価部７０は、音楽毎に、聴き始めた時点から希望の脳波状態に遷移するまでに要した時間（遷移時間）を、脳波状態に対する音楽再生の効果の一例として演算してもよい。表示制御部７４は、各音楽についての遷移時間を示す情報をＵＩ部６６に表示させてもよい。また、リスト作成部７２は、遷移時間が短い音楽ほど、音楽プレイリスト中の再生順位を上位に設定する。例えば、同一の脳波状態に適合する音楽プレイリスト（例えば集中用の音楽プレイリスト）に含まれる複数の音楽について、遷移時間が短い音楽ほど再生順位が上位に設定される。これにより、脳波状態に対する効果がより大きい音楽が先に再生されるので、その効果がより小さい音楽を先に再生する場合と比べて、ユーザの脳波状態を希望の脳波状態に遷移させるまでに要する時間が短くなる。脳波状態評価部７０は、ユーザが希望する脳波状態に関して、各音楽についての遷移時間を演算し、リスト作成部７２は、その希望の脳波状態に適合する音楽プレイリスト中の各音楽の再生順位を、その遷移時間に応じて変更してもよい。
【０１９９】
また、脳波状態評価部７０は、音楽毎に、希望の脳波状態を維持し続けた時間の長さ（継続時間の長さ）を、脳波状態に対する音楽再生の効果の一例として演算してもよい。表示制御部７４は、各音楽についての継続時間を示す情報をＵＩ部６６に表示させてもよい。また、リスト作成部７２は、継続時間が長い音楽ほど、音楽プレイリスト中の再生順位を上位に設定する。例えば、同一の脳波状態に適合する音楽プレイリスト（例えば集中用の音楽プレイリスト）に含まれる複数の音楽について、継続時間が長い音楽ほど再生順位が上位に設定される。これにより、脳波状態に対する効果がより大きい音楽が先に再生されるので、その効果がより小さい音楽を先に再生する場合と比べて、希望の脳波状態をより長い時間の間、維持しやすくなる。脳波状態評価部７０は、ユーザが希望する脳波状態に関して、各音楽についての継続時間を演算し、リスト作成部７２は、その希望の脳波状態に適合する音楽プレイリスト中の各音楽の再生順位を、その継続時間に応じて変更してもよい。
【０２００】
上記のように、脳波状態に対する音楽再生の効果（例えば、プレイリスト評価値の比較結果、各音楽についての数値の差、遷移時間、継続時間）が得られる。ユーザ毎に音楽再生効果が得られるため、複数のユーザの間で、音楽再生効果が共有されてもよいし、音楽再生効果に応じた競争が行われてもよい。例えば、情報処理システムに管理サーバが含まれており、各ユーザの音楽再生効果を示す情報が、各ユーザの端末装置１２から管理サーバに送信される。管理サーバは、各ユーザの音楽再生効果に応じたランキングを各ユーザに対応付けて、各ユーザのランキングを示す情報を、各ユーザの端末装置１２に送信する。各ユーザの端末装置１２のＵＩ部６６には、各ユーザのランキングが表示される。これにより、複数のユーザの間で競争心が生じて、各ユーザは楽しみながら他の本実施形態のシステムを利用することができる。また、各ユーザの音楽再生効果を示す情報は、管理サーバを介して、又は、管理サーバを介さずに、他のユーザの端末装置１２に送信され、端末装置１２のＵＩ部６６に表示されてもよい。これにより、ユーザは、他のユーザについての効果を知ることができるので、楽しみながら本実施形態のシステムを利用することができる。
【０２０１】
また、情報処理システムに含まれる管理サーバに、各ユーザの端末装置１２から各ユーザの脳波状態を示す情報が送信され、管理サーバは、各ユーザの脳波状態を管理、制御してもよい。例えば、管理サーバは、各ユーザの脳波状態を特定の脳波状態に遷移させ又は維持するための音楽を各ユーザの端末装置１２に送信してもよい。例えば、職場において従業員がリラックスできるように、管理サーバは、各従業員の脳波状態を「リラックス」に遷移させ又は維持するための音楽を各ユーザの端末装置１２に送信してもよい。このとき、管理サーバは、個々のユーザの端末装置１２毎に異なる音楽を送信してもよい。
【０２０２】
本実施形態によれば、ユーザの脳波状態を希望の脳波状態に遷移させ又は維持するための音楽が再生されるので、ユーザの希望する状態が得られる音楽を再生することができる。ユーザの希望する状態が得られる音楽は、ユーザ毎に異なる場合がある。本実施形態によれば、脳波状態を評価し、その評価結果を用いて音楽の再生を制御することで、ユーザ毎に、ユーザの希望する状態が得られる音楽を再生することができる。例えば、ユーザの好みに合致する音楽を再生することができる。
【０２０３】
（音楽配信サービスとの連携）
以下、音楽配信サービスとの連携について詳しく説明する。再生制御部７６は、音楽配信サーバ１４から試聴用の音楽データを受けて、その試聴用の音楽を再生する。このときも、イヤフォン装置１０によって脳波が測定され、脳波状態評価部７０によって脳波状態が評価され、その評価結果（例えば数値や波形）が表示される。制御部６８は、試聴用音楽の再生中の脳波状態に基づいて、その音楽をユーザの音楽再生リストに追加するべきか否かを判定する。表示制御部７４は、その判定結果を示す情報をＵＩ部６６に表示させる。例えば、脳波状態を表す数値が閾値以上の場合、追加対象の音楽であると判定され、その旨が表示される。例えば、ある試聴用音楽の再生中、「集中度」が閾値以上となった場合、その音楽は、集中に適した音楽として表示される。つまり、その音楽は、集中用の音楽として推奨される。これにより、ユーザが音楽データを購入するか否かを判断する上で役に立つ情報がユーザに提供される。例えば、ユーザの好みに合致する音楽がユーザに提示される。
【０２０４】
また、脳波状態毎の試聴用音楽が予め用意されており、音楽配信サーバ１４は、ユーザが指定した脳波状態に対応付けられた試聴用の音楽データを端末装置１２に送信し、端末装置１２は、その試聴用音楽を再生してもよい。例えば、試聴用音楽として、集中用音楽、リラックス用音楽等が用意されており、ユーザが脳波状態として「集中」を希望すると、集中用音楽が試聴用音楽として再生される。その再生中、「集中度」が閾値以上になると、視聴中の音楽が当該ユーザの集中度を高める音楽として推奨される。表示制御部７４は、その推奨を示す情報をＵＩ部６６に表示させる。これにより、ユーザにとって、どの音楽が希望の脳波状態を得ることができるのか分り易くなる。
【０２０５】
なお、音楽配信サービスにおいては、脳波状態への音楽再生の効果（例えば、プレイリスト評価値の比較結果、各音楽についての数値の差、遷移時間、継続時間）に応じて、各音楽の価格が変更されてもよい。例えば、その効果が高い音楽ほど価格が上昇してもよい。例えば、各ユーザについての音楽再生の効果を示す情報が、各ユーザの端末装置１２から音楽配信サーバ１４に送信され、音楽配信サーバ１４は、各ユーザについての音楽再生の効果に対して統計処理（例えば単純平均や重み付け平均等）を適用し、その適用で得られた値に応じて、各音楽の価格を決定する。
【０２０６】
本実施形態に係るシステムは、１つの音楽配信サービスと連携してもよいし、複数の音楽配信サービスと連携してもよい。複数の音楽配信サービスと連携する場合、音楽配信サービスを切り替えて各音楽配信サービスを利用できるようにしてもよい。また、複数の音楽配信サービスが統合されて１つの音楽配信サービスが提供される場合には、統合後の１つの音楽配信サービスを利用できるようにしてもよい。
【０２０７】
また、ユーザがイヤフォン装置１０を装着して脳波が測定されときに、音楽の試聴が可能となってもよい。例えば、その測定で得られた脳波測定結果を示す情報が、端末装置１２から音楽配信サーバ１４に送信されると視聴が可能となり、音楽配信サーバ１４から端末装置１２に試聴用の音楽データが送信されて試聴用の音楽が再生される。これにより、イヤフォン装置１０を利用していない場合にも試聴が可能となる場合と比べて、イヤフォン装置１０の利用が促進される。
【０２０８】
なお、再生制御部７６は、ユーザの脳波状態に応じて、音楽の音量を変えて再生してもよいし、音楽をアレンジして再生してもよいし、音楽の再生スピードを変えてもよい。同じ曲であっても、音量やアレンジやスピードによってユーザが受ける印象が異なり、それによって、脳波状態が変わり得る。再生制御部７６は、音楽再生中のユーザの脳波状態が希望の脳波状態により近くなるように、つまり、希望の脳波状態を表す数値がより高くなるように、再生中の音楽の音量を変えたり、その音楽をアレンジしたり、再生スピードを変えたりする。
【０２０９】
（変形例１）
以下、図２６及び図２７を参照して、音楽再生リストの変形例１について説明する。図２６には、条件入力画面の一例が示されており、図２７には、音楽再生画面の一例が示されている。
【０２１０】
まず、図２６を参照して、条件入力画面について説明する。条件入力画面１５０はＵＩ部６６に表示される画面である。例えば、ユーザが条件入力画面１５０の表示指示を与えると、表示制御部７４は、条件入力画面１５０をＵＩ部６６に表示させる。条件入力画面１５０には、入力欄１５２，１５４が表示されている。入力欄１５２は、「希望の脳波状態」を示す情報を入力するための欄であり、入力欄１５４は、「場所」を示す情報を入力するための欄である。一例として、入力欄１５２には、プルダウン形式で、「希望の脳波状態」の候補の一覧が表示され、入力欄１５４には、プルダウン形式で、「場所」の候補の一覧が表示される。もちろん、ユーザが、希望の脳波状態を示す文字列や場所を示す文字列を直接入力してもよい。図２６に示す例では、「希望の脳波状態」として「集中」が指定されており、その「場所」として「ジャズカフェ」が指定されている。つまり、ユーザの希望は、「ジャズカフェで集中する」ことである。
【０２１１】
表示制御部７４は、指定された希望の脳波状態と場所とに関連付けられた音楽を含む音楽プレイリストをＵＩ部６６に表示させる。図２６に示す例では、その音楽プレイリストに登録されている音楽識別情報（例えば曲タイトル等）が、曲表示欄１５６に表示されている。以下、脳波状態と場所とに関連付けられた音楽について詳しく説明する。
【０２１２】
変形例においては、音楽（曲）と、その音楽の再生中の脳波状態と、その音楽が再生された場所と、が互いに関連付けられる。上記のように、各音楽に脳波状態が関連付けられている。音楽が再生された場所は、例えばＧＰＳ（Global Positioning System）機能によって特定される。例えば、再生装置（例えば端末装置１２）がＧＰＳ機能を備えており、再生装置にて音楽が再生された場合、その再生中の再生装置の位置情報がＧＰＳ機能によって取得され、また、イヤフォン装置１０によって脳波測定結果が得られる。このようにして、音楽と、その音楽を再生している再生装置の位置と、その再生中のユーザの脳波状態と、が得られ、脳波状態評価部７０は、その音楽の音楽識別情報と、その位置を示す情報（位置情報）と、その脳波状態情報と、を関連付けて記憶部６２に記憶させる。これにより、脳波状態と場所が指定されると、その指定された脳波状態と場所とに関連付けられた音楽、つまり、その指定された場所で指定された脳波状態が得られた音楽が特定される。
【０２１３】
リスト作成部７２は、音楽識別情報と位置情報と脳波状態情報との関連付けに従って、脳波状態毎及び場所毎の音楽プレイリストを作成する。表示制御部７４は、指定された脳波状態と場所とに関連付けられた音楽を含む音楽プレイリストをＵＩ部６６に表示させる。図２６に示す例では、「希望の脳波状態」として「集中」が指定されており、その「場所」として「ジャズカフェ」が指定されているので、表示制御部７４は、脳波状態「集中」と場所「ジャズカフェ」とが関連付けられた音楽を含む音楽プレイリストをＵＩ部６６に表示させる。この音楽プレイリストは、ジャズカフェで集中するのに適したリストと言える。
【０２１４】
なお、音楽と、場所と、その場所でその音楽を再生することで得られると推測される脳波状態と、が予め関連付けられた初期音楽プレイリストが予め作成されて、その初期音楽プレイリストが用いられてもよい。この場合、表示制御部７４は、指定された脳波状態と場所とに関連付けられた初期音楽プレイリストをＵＩ部６６に表示させる。
【０２１５】
条件入力画面１５０には、再生ボタン画像１５８が表示されており、その再生ボタン画像１５８がユーザによって押されると、画面が、図２７に示されている音楽再生画面１６０に遷移する。音楽再生画面１６０は、上記のようにして選択された音楽プレイリスト（例えば、ジャズカフェで集中するのに適した音楽プレイリスト）に含まれる音楽を再生するための画面である。音楽再生画面１６０には、例えば、再生対象の曲に関連付けられた脳波状態を示す情報１６２が表示される。その情報１６２は、例えば、数値に応じた形状を有する画像である。音楽再生画面１６０には、再生ボタン画像１６４が表示されており、その再生ボタン画像１６４がユーザによって押されると、再生対象の曲が再生される。
【０２１６】
なお、音楽再生画面１６０には、脳波状態を表わすボタン画像１６６，１６８が表示されており、ユーザがボタン画像を押すと、表示制御部７４は、そのボタン画像に紐付く脳波状態用の音楽プレイリストをＵＩ部６６に表示させる。ボタン画像１６６は脳波状態「集中」に紐付く画像であり、ボタン画像１６８は脳波状態「リラックス」に紐付く画像である。図２６及び図２７に示す例では、脳波状態として「集中」が指定されている。この状態で、ユーザによってボタン画像１６８が押されると、表示制御部７４は、脳波状態「リラックス」と場所「ジャズカフェ」とが関連付けられた音楽を含む音楽プレイリストをＵＩ部６６に表示させる。このようにして、希望の脳波状態が切り替えられるようにしてもよい。
【０２１７】
変形例１によれば、ユーザによって指定された場所で、ユーザの脳波状態を希望の脳波状態に遷移させ又は維持することができる音楽が再生される。
【０２１８】
なお、再生制御部７６は、位置情報を利用することで、ユーザの現在の場所に適合する音楽を再生してもよい。例えば、端末装置１２によって当該端末装置１２の現在の位置情報が取得され、再生制御部７６は、ユーザが希望する脳波状態とその位置とに関連付けられた音楽を再生する。例えば、デスクワークに適した音楽や、屋外での作業に適した音楽、等が再生される。
【０２１９】
図２６に示す例では、希望の脳波状態と場所の両方がユーザによって指定されているが、いずれか一方のみがユーザによって指定されてもよい。この場合、表示制御部７４は、その一方に適合する音楽プレイリストをＵＩ部６６に表示させる。例えば、表示制御部７４は、希望の脳波状態がユーザによって指定された場合、その希望の脳波状態が関連付けられている音楽が登録された音楽プレイリストをＵＩ部６６に表示させ、場所がユーザによって指定された場合、その場所が関連付けられている音楽が登録された音楽プレイリストをＵＩ部６６に表示させる。
【０２２０】
（変形例２）
以下、図２８を参照して変形例２について説明する。図２８には、リスト選択画面の一例が示されている。
【０２２１】
変形例２では、他のユーザの音楽プレイリストが表示されてもよい。図２８には、その表示例が示されている。ユーザが音楽プレイリストの表示指示を与えると、表示制御部７４は、音楽プレイリストが表示されるリスト選択画面１７０をＵＩ部６６に表示させる。図２８に示す例では、リスト選択画面１７０に、「マイベスト」という音楽プレイリストと、「レコメンデーション」という音楽プレイリストと、「・・・セレクション」という音楽プレイリストと、が表示されている。これらの音楽プレイリストは、ユーザの希望の脳波状態に関連付けられた音楽（曲）によって構成されたリストである。「マイベスト」リストは、ユーザ自身が選択した音楽を含むリストである。「レコメンデーション」リストは、他のユーザが推奨するリストである。「・・・セレクション」リストは、特定の職種、業種、性別、年齢等のユーザが選んだ音楽を含むリストである。また、有名人のリストが作成され、そのリストが表示されてもよい。
【０２２２】
例えば、音楽プレイリストは、端末装置１２から音楽配信サーバ１４にマニュアル操作で又は自動的にアップロードされる。これにより、各ユーザの音楽プレイリスト（例えば、脳波状態毎の音楽プレイリストや、各ユーザ自身が選んだ音楽を含む音楽プレイリスト等）が、音楽配信サーバ１４に送られて音楽配信サーバ１４にて管理される。
【０２２３】
例えば、ユーザが希望の脳波状態を指定すると、その希望の脳波状態を示す情報が端末装置１２から音楽配信サーバ１４に送信され、音楽配信サーバ１４は、その希望の脳波状態に適合する音楽プレイリストを示すデータを端末装置１２に送信する。その音楽プレイリストは、上記のように、他のユーザが推奨する音楽プレイリスト等である。
【０２２４】
ユーザがリスト選択画面１７０上で音楽プレイリストを選択して再生ボタン画像を押すと、その音楽プレイリストに含まれる曲が再生される。
【０２２５】
変形例２によれば、他のユーザの音楽プレイリストに従って音楽を再生することができるので、自己の音楽プレイリストのみを用いる場合と比べて、音楽プレイリストの選択肢が広がる。
【０２２６】
なお、リスト選択画面１７０には、脳波状態を表わすボタン画像１７２，１７４が表示されており、ユーザがボタン画像を押すと、表示制御部７４は、そのボタン画像に紐付く脳波状態用の音楽プレイリストをＵＩ部６６に表示させる。ボタン画像１７２は脳波状態「集中」に紐付く画像であり、ボタン画像１７４は脳波状態「リラックス」に紐付く画像である。図２８に示す例では、脳波状態として「集中」が指定されている。この状態で、ユーザによってボタン画像１７４が押されると、表示制御部７４は、脳波状態「リラックス」が関連付けられた音楽を含む音楽プレイリストをＵＩ部６６に表示させる。このようにして、希望の脳波状態が切り替えられるようにしてもよい。
【０２２７】
また、変形例１と同様に、ユーザによって希望の脳波状態と場所が指定された場合、その希望の脳波状態と場所に適合する音楽プレイリストが表示されてもよい。
【０２２８】
（その他の実施形態）
以下、他の実施形態について説明する。ユーザが端末装置１２を用いてイヤフォン装置１０との接続を指示すると、端末装置１２は例えば近距離無線通信（例えばブルートゥース）によってイヤフォン装置１０と通信を行い、これにより、イヤフォン装置１０と端末装置１２とが近距離無線通信によって接続される。ユーザがイヤフォン装置１０を装着すると、イヤフォン装置１０によって脳波が測定される。図２９には、そのときに端末装置１２のＵＩ部６６に表示される脳波表示画面の一例が示されている。脳波表示画面１７６には、イヤフォン装置１０に紐付く画像１７８、イヤフォン装置１０が端末装置１２に接続された旨を示すメッセージ、脳波の測定結果（例えば、集中度：１８％、リラックス度：７２％）等が表示される。この状態で、上述したように、音楽が再生されると、再生中の脳波が測定される。このとき、例えば図２２や図２３に示されている画面が端末装置１２のＵＩ部６６に表示される。例えば、１又は複数の試聴用の音楽が再生されると、音楽毎に脳波が測定され、その測定結果が記録される。
【０２２９】
また、脳波の測定状態を示す情報が表示されてもよい。図３０には、その表示例画示されている。脳波表示画面１８０は、上記の脳波表示画面１７６と同様に、端末装置１２のＵＩ部６６に表示される。脳波表示画面１８０には、イヤフォン装置１０に紐付く画像１７８と共に、脳波の測定状態を表わす画像としてのマーク１８２が表示されている。表示制御部７４は、脳波の測定状態に応じて、そのマーク１８２の表示形態（例えば、色、形状、大きさ等）を変える。図３０に示す例では、脳波の測定状態に応じて、マーク１８２の色が変化する。例えば、脳波が正常に測定されている場合、マーク１８２は緑色で表示される。脳波が正常に測定されていない場合、マーク１８２は赤色で表示される。イヤフォン装置１０が端末装置１２に接続されていない場合（例えば、ブルートゥースで接続する場合、イヤフォン装置１０と端末装置１２がペアリングされていない場合）、マーク１８２は点灯せずに表示される。例えば、脳波測定結果としての電位差がノイズレベル（例えば閾値未満）に該当する場合、脳波が正常に測定されていないとして、マーク１８２が赤色で表示され、その電位差が閾値以上に該当する場合、脳波が正常に測定されているとして、マーク１８２が緑色で表示される。このように、脳波の測定状態を示す情報を表示することで、ユーザはイヤフォン装置１０の装着位置を修正することができ、その結果、より正確に脳波状態を測定することができる。
【０２３０】
図３１には、脳波測定結果の表示例が示されている。測定結果画面１８４は、脳波測定後や測定中等に端末装置１２のＵＩ部６６に表示される。測定結果画面１８４には、一例として、脳波状態を表わす数値が予め定められた閾値以上継続した時間が示されている。その閾値は、一例として５０％である。もちろん、この値は一例に過ぎず、別の値が用いられてもよいし、ユーザが任意の値を設定してもよい。図３０に示す例では、５０％以上の集中度が継続した時間は「１５秒」であり、５０％以上のリラックス度が継続した時間は「２７秒」である。これらの値は、例えば音楽や動画の再生中に測定された結果であってもよいし、音楽や動画を再生せずに測定された結果であってもよい。
【０２３１】
以下、図３２を参照して、音楽を音楽プレイリストに追加するときの操作の一例について説明する。図３２には、音楽表示画面の一例が示されている。音楽表示画面１８６は、端末装置１２のＵＩ部６６に表示される。その音楽表示画面１８６には、ユーザによって指定された音楽に関する情報が表示されてもよいし、ランダムに選択された音楽に関する情報が表示されてもよい。また、再生等を指示するための画像が表示されてもよい。音楽表示画面１８６に音楽が表示されている状態で、ユーザがいわゆるフリック操作を行うことで、その音楽が音楽プレイリストに追加される、又は、音楽プレイリストから除外される。例えば、ユーザが音楽表示画面１８６上で、指やスタイラス等の指示子を矢印１８８の方向（プレイリスト追加に紐付けられた方向）へ素早く動かすと、表示中の音楽が音楽プレイリストに追加され、指示子を矢印１９０の方向（プレイリスト除外に紐付けられた方向）へ素早く動かすと、表示中の音楽が音楽プレイリストから除外される。例えば、ユーザが、音楽プレイリストに紐付く脳波状態を指定し、上記の操作を行うことで、その脳波状態に紐付く音楽プレイリストへの音楽の追加、又は、音楽プレイリストからの音楽の除外が行われる。図３２に示す例では、脳波状態として「集中」が指定されている。ユーザが矢印１８８の方向へフリック操作を行うと、表示中の音楽が「集中用の音楽プレイリスト」に追加され、ユーザが矢印１９０の方向へフリック操作を行うと、表示中の音楽が「集中用の音楽プレイリスト」から除外される。他の脳波状態（例えばリラックス）に紐付く音楽プレイリストについても同様に、音楽が追加又は除外される。このような簡単な操作で音楽プレイリストを編集することができる。
【０２３２】
また、音楽プレイリストも、上記のようなフリック操作によって、脳波状態に紐付けてもよい。図３３を参照して、この操作について説明する。図３３には、プレイリスト画面の一例が示されている。プレイリスト画面１９２は、端末装置１２のＵＩ部６６に表示される。プレイリスト画面１９２には、例えば、ユーザによって指定された音楽プレイリストに関する情報（例えば、音楽プレイリストの名称等）や、音楽配信サービスから提供された音楽プレイリストに関する情報が表示される。また、再生等を指示するための画像が表示されてもよい。プレイリスト画面１９２に音楽プレイリストが表示されている状態で、ユーザがフリック操作を行うことで、その音楽プレイリストに脳波状態が紐付けられる。その紐付けは、リスト作成部７２によって行われる。例えば、ユーザがプレイリスト画面１９２上で、指示子を矢印１９４の方向（リラックスに紐付く方向）へ素早く動かすと、表示中の音楽プレイリストに脳波状態としての「リラックス」が紐付けられる。この場合、その音楽プレイリストは、リラックス用の音楽プレイリストとして登録される。また、ユーザが指示子を矢印１９６の方向（集中に紐付く方向）へ素早く動かすと、表示中の音楽プレイリストに脳波状態としての「集中」が紐付けられる。この場合、その音楽プレイリストは、集中用の音楽プレイリストとして登録される。このような簡単な操作で、音楽プレイリストに脳波状態を紐付けることができる。もちろん、同様の操作で、音楽に脳波状態を紐付けてもよい。例えば、音楽に関する情報が表示されている状態で、矢印１９４の方向にフリック操作が行われた場合、その音楽に脳波状態としての「リラックス」が紐付けられる。
【０２３３】
上記の端末装置１２は、一例としてハードウェアとソフトウェアとの協働により実現される。具体的には、端末装置１２は、図示しないＣＰＵ等の１又は複数のプロセッサを備えている。当該１又は複数のプロセッサが、図示しない記憶装置に記憶されたプログラムを読み出して実行することで、端末装置１２の各部の機能が実現される。上記プログラムは、例えばＣＤやＤＶＤ等の記録媒体を経由して、又は、ネットワーク等の通信経路を経由して、記憶装置に記憶される。別の例として、端末装置１２の各部は、例えばプロセッサや電子回路やＡＳＩＣ（Application Specific Integrated Circuit）等のハードウェア資源によって実現されてもおい。その実現においてメモリ等のデバイスが利用されてもよい。更に別の例として、端末装置１２の各部は、ＤＳＰ（Digital Signal Processor）やＦＰＧＡ（Field Programmable Gate Array）等によって実現されてもよい。
【符号の説明】
【０２３４】
１０  イヤフォン装置、１２  端末装置、１４  音楽配信サーバ。
【図１】
2019024758.tif 000004
【図２】
2019024758.tif 000005
【図３】
2019024758.tif 000006
【図４】
2019024758.tif 000007
【図５】
2019024758.tif 000008
【図６】
2019024758.tif 000009
【図７】
2019024758.tif 000010
【図８】
2019024758.tif 000011
【図９】
2019024758.tif 000012
【図１０】
2019024758.tif 000013
【図１１】
2019024758.tif 000014
【図１２】
2019024758.tif 000015
【図１３】
2019024758.tif 000016
【図１４】
2019024758.tif 000017
【図１５】
2019024758.tif 000018
【図１６】
2019024758.tif 000019
【図１７】
2019024758.tif 000020
【図１８】
2019024758.tif 000021
【図１９】
2019024758.tif 000022
【図２０】
2019024758.tif 000023
【図２１】
2019024758.tif 000024
【図２２】
2019024758.tif 000025
【図２３】
2019024758.tif 000026
【図２４】
2019024758.tif 000027
【図２５】
2019024758.tif 000028
【図２６】
2019024758.tif 000029
【図２７】
2019024758.tif 000030
【図２８】
2019024758.tif 000031
【図２９】
2019024758.tif 000032
【図３０】
2019024758.tif 000033
【図３１】
2019024758.tif 000034
【図３２】
2019024758.tif 000035
【図３３】
2019024758.tif 000036